(57)【要約】【課題】当該装置の携帯性を損なうことなく、処理対象の外部情報記録媒体との間にて行う無線通信の最適通信方向を視覚的に認知できること。【解決手段】少なくとも外部情報記録媒体に対して非接触による情報読取処理または情報書込処理を行うことができる携帯型情報端末装置において、この外部情報記録媒体に対する無線通信の最適通信方向に可視光である指示光Ｂ１を出力する通信方向指示部７を備える。【選択図】        図１
2005202492.tif 000002
【特許請求の範囲】
【請求項１】
少なくとも外部情報記録媒体に対して非接触による情報読取処理または情報書込処理を行うことができる携帯型情報端末装置において、
当該携帯型情報端末装置が行う無線通信の最適通信方向を指示する通信方向指示手段を備えたことを特徴とする携帯型情報端末装置。
【請求項２】
前記通信方向指示手段の内容を前記無線通信の通信制御状態に応じて制御する制御手段を備えたことを特徴とする請求項１に記載の携帯型情報端末装置。
【請求項３】
前記通信方向指示手段は、前記最適通信方向に可視光を出力する投光手段を備えたことを特徴とする請求項１または２に記載の携帯型情報端末装置。
【請求項４】
前記通信方向指示手段は、前記投光手段が出力した可視光を用いて所定パターンの可視光を形成出力するパターン形成手段を備えたことを特徴とする請求項３に記載の携帯型情報端末装置。
【請求項５】
前記パターン形成手段は、前記投光手段が出力した可視光を回折して前記所定パターンの可視光を形成出力する回折光学素子であることを特徴とする請求項４に記載の携帯型情報端末装置。
【請求項６】
前記所定パターンの可視光は、前記外部情報記録媒体が前記最適通信方向に存在し、かつ前記外部情報記録媒体までの距離が前記無線通信の最大通信距離内である場合に、前記外部情報記録媒体に前記所定パターンを表示することを特徴とする請求項４または５に記載の携帯型情報端末装置。
【請求項７】
前記所定パターンは、前記外部情報記録媒体が前記最適通信方向に存在し、かつ前記外部情報記録媒体までの距離が前記無線通信の最大通信距離とほぼ同等である場合に、前記外部情報記録媒体の外形に対応することを特徴とする請求項４〜６のいずれか一つに記載の携帯型情報端末装置。
【請求項８】
前記通信方向指示手段は、
前記最適通信方向の被写体を撮像する撮像手段と、
前記撮像手段が撮像した画像を表示出力する表示手段と、
を備え、前記制御手段は、前記表示手段に対して、前記撮像手段が撮像した画像を表示出力する制御を行うことを特徴とする請求項２に記載の携帯型情報端末装置。
【請求項９】
前記最適通信方向に存在する外部情報記録媒体または該外部情報記録媒体を備えた対象物までの距離を測定する測距手段と、
前記測距手段が測定した前記距離と前記撮像手段の焦点距離とに関する情報を用いて、前記最適通信方向への無線通信が行える通信範囲を示す所定パターンのポインタを生成出力する画像演算手段と、
を備え、前記制御手段は、前記撮像手段が撮像した画像と前記所定パターンのポインタとを重畳的に前記表示手段に表示出力することを特徴とする請求項８に記載の携帯型情報端末装置。
【請求項１０】
前記最適通信方向に存在する外部情報記録媒体または該外部情報記録媒体を備えた対象物までの距離を測定する測距手段と、
前記測距手段が測定した前記距離と前記撮像手段の焦点距離とに関する情報と、前記撮像手段が撮像する画像の倍率に関する情報とを用いて、当該携帯型情報端末装置が行う無線通信の最大通信距離に対応する所定パターンのポインタを生成出力する画像演算手段と、
を備え、前記制御手段は、前記撮像手段が撮像した画像と前記所定パターンのポインタとを重畳的に前記表示手段に表示出力することを特徴とする請求項８に記載の携帯型情報端末装置。
【請求項１１】
前記所定パターンは、前記外部情報記録媒体との無線通信の最大通信距離と前記距離とがほぼ同等である場合に、前記撮像手段が撮像した対象物の画像に対応することを特徴とする請求項１０に記載の携帯型情報端末装置。
【請求項１２】
前記撮像手段は、
前記最適通信方向から入力される被写体の光学情報を結像する撮像光学素子と、
前記撮像光学素子によって結像された光学情報を電気信号に光電変換する撮像素子と、
前記撮像素子から入力された電気信号をもとに、前記被写体の画像を作成する画像処理部と、
を備えたことを特徴とする請求項８〜１１のいずれか一つに記載の携帯型情報端末装置。
【請求項１３】
前記制御手段は、前記情報読取処理または前記情報書込処理の処理経過に応じて異なる態様の表示をそれぞれ出力するように、前記通信方向指示手段の出力制御を行うことを特徴とする請求項２〜１２のいずれか一つに記載の携帯型情報端末装置。
【請求項１４】
前記外部情報記録媒体との無線通信を行う無線通信手段と、
前記通信方向指示手段が指示する方向と前記無線通信手段の前記最適通信方向とを同方向に維持するとともに、前記通信方向指示手段と前記無線通信手段とを駆動する駆動手段と、
を備えたことを特徴とする請求項１〜１３のいずれか一つに記載の携帯型情報端末装置。
【請求項１５】
相互に異なる前記最適通信方向について前記外部情報記録媒体との無線通信をそれぞれ行う複数の無線通信手段と、
前記複数の無線通信手段のうち、前記外部情報記録媒体との無線通信を行う無線通信手段の前記最適通信方向と、前記通信方向指示手段が指示する方向とを同方向にするように、前記通信方向指示手段を駆動する駆動手段と、
を備えたことを特徴とする請求項１〜１３のいずれか一つに記載の携帯型情報端末装置。
【請求項１６】
所望の光学情報記録媒体から光学情報を読み取る光学情報読取手段を備え、該光学情報読取手段は前記通信方向指示手段として機能することを特徴とする請求項１〜１５のいずれか一つに記載の携帯型情報端末装置。
【請求項１７】
前記通信方向指示手段による前記最適通信方向の指示を所望のタイミングにて停止する機能停止手段を備えたことを特徴とする請求項１〜１６のいずれか一つに記載の携帯型情報端末装置。
【請求項１８】
前記通信方向指示手段は、前記最適通信方向の光学的な像を表示する光学ファインダであることを特徴とする請求項１に記載の携帯型情報端末装置。
【請求項１９】
前記光学ファインダは、当該携帯型情報端末装置に格納可能に配置されたことを特徴とする請求項１８に記載の携帯型情報端末装置。
【請求項２０】
前記光学ファインダは、当該携帯型情報端末装置に着脱可能に配置されたことを特徴とする請求項１８または１９に記載の携帯型情報端末装置。
【請求項２１】
前記光学ファインダは、少なくとも一つの光学素子を備えたことを特徴とする請求項１８〜２０のいずれか一つに記載の携帯型情報端末装置。
【請求項２２】
前記通信方向指示手段は、前記最適通信方向を指し示す図形が形成された指示部であり、該指示部は、当該携帯型情報端末装置の筐体に設けられたことを特徴とする請求項１に記載の携帯型情報端末装置。
【発明の詳細な説明】
【技術分野】
【０００１】
この発明は、所定の交信領域内に存在する外部情報記録媒体に対して無線通信を行い、該無線通信によって送受信される所定の電波を介して、この外部情報記録媒体に記録された情報を読み取り、またはこの外部情報記録媒体に情報を書き込む携帯型情報端末装置に関するものである。
【背景技術】
【０００２】
従来から、小型の集積回路と無線通信用のアンテナとを組み合わせたＲＦＩＤ（Radio Frequency Identification）タグまたはカード状の樹脂製板にＲＦＩＤを埋設した非接触ＩＣカード等の外部情報記録媒体と、該外部情報記録媒体に記録された情報を読み取りあるいは該外部情報記録媒体に所望の情報を書き込む機能を備えたＰＤＡ（Personal Digital Assistant）または非接触ＩＣカードリーダライタ等の携帯型情報端末装置とを用いたＲＦＩＤシステムが開発されている。
【０００３】
一般に、この外部情報記録媒体には、静電誘導方式による無線通信を行い、０〜２［ｍｍ］程度の通信距離を有する密着型と、４００〜５３０［ｋＨｚ］の電磁波を用いた電磁結合方式による無線通信を行い、１０［ｃｍ］程度までの通信距離を有する近接型と、１２５〜１３５［ｋＨｚ］または１３．５６［ＭＨｚ］の電磁波を用いた電磁誘導方式の無線通信を行い、１０〜１００［ｃｍ］程度の通信距離を有する近傍型と、２．４５［ＧＨｚ］のマイクロ波または光を用いたマイクロ波方式または光方式の無線通信を行い、数メートル程度の通信距離を有する遠隔型とがある。この携帯型情報端末装置は、所定の交信領域内に存在する外部情報記録媒体との間において送受信される所定の電波を介して、この外部情報記録媒体に記録された情報を読み取りあるいは該外部情報記録媒体に所望の情報を書き込む。
【０００４】
このような外部情報記録媒体と携帯型情報端末装置とを用いたＲＦＩＤシステムには、複数の外部情報記録媒体にそれぞれ記憶された各情報を一括して認識できる点、外部情報記録媒体に記録できる情報量（６４〜数１００バイト）が多い点、外部情報記録媒体に記録された情報を更新できる点、外部情報記録媒体が超小型である点、外部情報記録媒体と携帯型情報端末装置との間に障害物が存在しても情報通信が可能である点等の利点がある。このため、流通業界をはじめとする様々な業種において、このＲＦＩＤシステムの有益性が注目されている。このような技術に関し、たとえば非接触ＩＣカードに対する無線通信に適した該非接触ＩＣカードの載置位置を視覚的に確認でき、処理対象の非接触ＩＣカードをこの載置位置に案内し、その後、この載置位置に案内された非接触ＩＣカードに対し、所定の電波を介して情報の読み取りまたは書き込みを行う非接触ＩＣカード処理装置がある（特許文献１参照）。
【０００５】
【特許文献１】特開２０００−２７６５６３号公報
【発明の開示】
【発明が解決しようとする課題】
【０００６】
しかしながら、上述した特許文献１に記載された非接触ＩＣカード処理装置では、所定の電波を介して非接触ＩＣカードと情報通信を行う通信制御部に、この載置位置を示す位置マークが付された載置台と、該載置台に処理対象の非接触ＩＣカードを案内するガイド部材とが付加され、この載置位置が、この位置マークをもとに視覚的に確認されるように構成しているので、装置規模の大型化を招来し、装置の携帯性を損なう場合が多いという問題点があった。
【０００７】
なお、上述したＲＦＩＤシステムでは、携帯型情報端末装置と外部情報記録媒体との無線通信における利得がほぼ最大となる通信方向、すなわち該無線通信が効率的に行われる通信方向（最適通信方向）を視覚的に認知することは困難な場合が多い。この場合、使用者は、携帯型情報端末装置と外部情報記録媒体との相対位置または相対方向を多様に変化させて、この最適通信方向を探らなければならない。この作業の煩わしさを解決するために、この最適通信方向を視覚的に認知できる携帯型情報端末装置が要望されている。
【０００８】
この発明は、上記事情に鑑みてなされたものであって、当該装置の携帯性を損なうことなく、外部情報記録媒体との間にて行う無線通信の最適通信方向を視覚的に認知できる携帯型情報端末装置を提供することを目的とする。
【課題を解決するための手段】
【０００９】
上述した課題を解決し、目的を達成するために、請求項１にかかる携帯型情報端末装置は、少なくとも外部情報記録媒体に対して非接触による情報読取処理または情報書込処理を行うことができる携帯型情報端末装置において、当該携帯型情報端末装置が行う無線通信の最適通信方向を指示する通信方向指示手段を備えたことを特徴とする。
【００１０】
また、請求項２にかかる携帯型情報端末装置は、上記発明において、前記通信方向指示手段の内容を前記無線通信の通信制御状態に応じて制御する制御手段を備えたことを特徴とする。
【００１１】
また、請求項３にかかる携帯型情報端末装置は、上記発明において、前記通信方向指示手段は、前記最適通信方向に可視光を出力する投光手段を備えたことを特徴とする。
【００１２】
また、請求項４にかかる携帯型情報端末装置は、上記発明において、前記通信方向指示手段は、前記投光手段が出力した可視光を用いて所定パターンの可視光を形成出力するパターン形成手段を備えたことを特徴とする。
【００１３】
また、請求項５にかかる携帯型情報端末装置は、上記発明において、前記パターン形成手段は、前記投光手段が出力した可視光を回折して前記所定パターンの可視光を形成出力する回折光学素子であることを特徴とする。
【００１４】
また、請求項６にかかる携帯型情報端末装置は、上記発明において、前記所定パターンの可視光は、前記外部情報記録媒体が前記最適通信方向に存在し、かつ前記外部情報記録媒体までの距離が前記無線通信の最大通信距離内である場合に、前記外部情報記録媒体に前記所定パターンを表示することを特徴とする。
【００１５】
また、請求項７にかかる携帯型情報端末装置は、上記発明において、前記所定パターンは、前記外部情報記録媒体が前記最適通信方向に存在し、かつ前記外部情報記録媒体までの距離が前記無線通信の最大通信距離とほぼ同等である場合に、前記外部情報記録媒体の外形に対応することを特徴とする。
【００１６】
また、請求項８にかかる携帯型情報端末装置は、上記発明において、前記通信方向指示手段は、前記最適通信方向の被写体を撮像する撮像手段と、前記撮像手段が撮像した画像を表示出力する表示手段と、を備え、前記制御手段は、前記表示手段に対して、前記撮像手段が撮像した画像を表示出力する制御を行うことを特徴とする。
【００１７】
また、請求項９にかかる携帯型情報端末装置は、上記発明において、前記最適通信方向に存在する外部情報記録媒体または該外部情報記録媒体を備えた対象物までの距離を測定する測距手段と、前記測距手段が測定した前記距離と前記撮像手段の焦点距離とに関する情報を用いて、前記最適通信方向への無線通信が行える通信範囲を示す所定パターンのポインタを生成出力する画像演算手段と、を備え、前記制御手段は、前記撮像手段が撮像した画像と前記所定パターンのポインタとを重畳的に前記表示手段に表示出力することを特徴とする。
【００１８】
また、請求項１０にかかる携帯型情報端末装置は、上記発明において、前記最適通信方向に存在する外部情報記録媒体または該外部情報記録媒体を備えた対象物までの距離を測定する測距手段と、前記測距手段が測定した前記距離と前記撮像手段の焦点距離とに関する情報と、前記撮像手段が撮像する画像の倍率に関する情報とを用いて、当該携帯型情報端末装置が行う無線通信の最大通信距離に対応する所定パターンのポインタを生成出力する画像演算手段と、を備え、前記制御手段は、前記撮像手段が撮像した画像と前記所定パターンのポインタとを重畳的に前記表示手段に表示出力することを特徴とする。
【００１９】
また、請求項１１にかかる携帯型情報端末装置は、上記発明において、前記所定パターンは、前記外部情報記録媒体との無線通信の最大通信距離と前記距離とがほぼ同等である場合に、前記撮像手段が撮像した対象物の画像に対応することを特徴とする。
【００２０】
また、請求項１２にかかる携帯型情報端末装置は、上記発明において、前記撮像手段は、前記最適通信方向から入力される被写体の光学情報を結像する撮像光学素子と、前記撮像光学素子によって結像された光学情報を電気信号に光電変換する撮像素子と、前記撮像素子から入力された電気信号をもとに、前記被写体の画像を作成する画像処理部と、を備えたことを特徴とする。
【００２１】
また、請求項１３にかかる携帯型情報端末装置は、上記発明において、前記制御手段は、前記情報読取処理または前記情報書込処理の処理経過に応じて異なる態様の表示をそれぞれ出力するように、前記通信方向指示手段の出力制御を行うことを特徴とする。
【００２２】
また、請求項１４にかかる携帯型情報端末装置は、上記発明において、前記外部情報記録媒体との無線通信を行う無線通信手段と、前記通信方向指示手段が指示する方向と前記無線通信手段の前記最適通信方向とを同方向に維持するとともに、前記通信方向指示手段と前記無線通信手段とを駆動する駆動手段と、を備えたことを特徴とする。
【００２３】
また、請求項１５にかかる携帯型情報端末装置は、上記発明において、相互に異なる前記最適通信方向について前記外部情報記録媒体との無線通信をそれぞれ行う複数の無線通信手段と、前記複数の無線通信手段のうち、前記外部情報記録媒体との無線通信を行う無線通信手段の前記最適通信方向と、前記通信方向指示手段が指示する方向とを同方向にするように、前記通信方向指示手段を駆動する駆動手段と、を備えたことを特徴とする。
【００２４】
また、請求項１６にかかる携帯型情報端末装置は、上記発明において、所望の光学情報記録媒体から光学情報を読み取る光学情報読取手段を備え、該光学情報読取手段は前記通信方向指示手段として機能することを特徴とする。
【００２５】
また、請求項１７にかかる携帯型情報端末装置は、上記発明において、前記通信方向指示手段による前記最適通信方向の指示を所望のタイミングにて停止する機能停止手段を備えたことを特徴とする。
【００２６】
また、請求項１８にかかる携帯型情報端末装置は、上記発明において、前記通信方向指示手段は、前記最適通信方向の光学的な像を表示する光学ファインダであることを特徴とする。
【００２７】
また、請求項１９にかかる携帯型情報端末装置は、上記発明において、前記光学ファインダは、当該携帯型情報端末装置に格納可能に配置されたことを特徴とする。
【００２８】
また、請求項２０にかかる携帯型情報端末装置は、上記発明において、前記光学ファインダは、当該携帯型情報端末装置に着脱可能に配置されたことを特徴とする。
【００２９】
また、請求項２１にかかる携帯型情報端末装置は、上記発明において、前記光学ファインダは、少なくとも一つの光学素子を備えたことを特徴とする。
【００３０】
また、請求項２２にかかる携帯型情報端末装置は、上記発明において、前記通信方向指示手段は、前記最適通信方向を指し示す図形が形成された指示部であり、該指示部は、当該携帯型情報端末装置の筐体に設けられたことを特徴とする。
【発明の効果】
【００３１】
この発明によれば、装置規模を大型化することなく、外部情報記録媒体に対する無線通信の最適通信方向を視覚的に指示することができ、これによって、携帯性を損なうことなく、この無線通信の最適通信方向を容易に認知できる携帯型情報端末装置を実現することができるという効果を奏する。この携帯型情報端末装置を用いた場合、使用者は、この最適通信方向に処理対象の外部情報記録媒体を容易に位置させることができる。
【発明を実施するための最良の形態】
【００３２】
以下、添付図面を参照して、この発明にかかる携帯型情報端末装置の好適な実施の形態を詳細に説明する。なお、この実施の形態によって、この発明が限定されるものではない。
【００３３】
（実施の形態１）
図１は、この発明の実施の形態１である携帯型情報端末装置の概略構成を例示するブロック図である。なお、図１では、実線矢印が電気信号の送受信を示し、破線矢印が可視光または光学情報の入出力を示す。図１において、携帯型情報端末装置１は、入力部２、表示部３、無線通信用のアンテナ４、ＲＦＩＤ処理部５、光学情報読取部６、通信方向指示部７、外部通信部８、ストレージデバイス９、音声入出力部１０、制御部１１、および記憶部１２を有する。また、光学情報読取部６は、投光部６ａ、光学素子６ｂ、駆動部６ｃ、および受光部６ｄを有する。通信方向指示部７は、可視光投光部７ａを有する。入力部２、表示部３、ＲＦＩＤ処理部５、投光部６ａ、駆動部６ｃ、受光部６ｄ、可視光投光部７ａ、外部通信部８、ストレージデバイス９、音声入出力部１０、および記憶部１２は、制御部１１と電気的に接続され、かつ制御部１１に制御される。アンテナ４は、ＲＦＩＤ処理部５と電気的に接続され、かつＲＦＩＤ処理部５に制御される。投光部６ａは、制御部１１の制御のもと、光学素子６ｂに赤外光または可視光を出力する。光学素子６ｂは、投光部６ａから入力された赤外光または可視光を外部に反射出力し、かつ該赤外光または該可視光による外部からの反射光を集光する。駆動部６ｃは、制御部１１の制御に基づき光学素子６ｂを回動するように、光学情報読取部６に配置される。受光部６ｄは、光学素子６ｂによって集光された外部からの反射光を入力する。可視光投光部７ａは、制御部１１の制御のもと、携帯型情報端末装置１が行う無線通信の最適通信方向を指示するための可視光を出力する。
【００３４】
入力部２は、操作キー２ａとトリガキー２ｂ，２ｃとを有する。操作キー２ａは、使用者が所望の情報を入力操作する複数のキーを有し、制御部１１が行う各種処理に対する指示情報または各種処理に関する所望の情報を制御部１１に入力する。トリガキー２ｂは、ＲＦＩＤタグまたは非接触ＩＣカード等の外部情報記録媒体に記録された情報を所定の電波を介して読み取る処理（情報読取処理）を開始指示する指示情報（読取指示情報）または所定の電波を介して外部情報記録媒体に所望の情報を書き込む処理（情報書込処理）を開始指示する指示情報（書込指示情報）を制御部１１に入力する。トリガキー２ｃは、外部の光学情報記録媒体の情報を光学的に読み取る処理（光学情報読取処理）を開始指示する指示情報（光学読取指示情報）を制御部１１に入力する。
【００３５】
たとえば、作業者が、操作キー２ａを用い、外部情報記録媒体に書き込む所望情報（書込情報）を入力し、さらに、トリガキー２ｂを用い、書込指示情報を入力するキー操作を行った場合、入力部２は、この書込情報および書込指示情報の入力を受け付けるとともに、受け付けた書込情報および書込指示情報を制御部１１に送出する。また、作業者が、トリガキー２ｂを用い、読取指示情報を入力するキー操作を行った場合、入力部２は、この読取指示情報の入力を受け付けるとともに、受け付けた読取指示情報を制御部１１に送出する。一方、作業者が、トリガキー２ｃを用い、光学読取指示情報を入力するキー操作を行った場合、入力部２は、この光学読取指示情報の入力を受け付けるとともに、受け付けた光学読取指示情報を制御部１１に送出する。
【００３６】
表示部３は、液晶表示装置（ＬＣＤ）または有機ＥＬパネル等の薄型ディスプレイを用いて実現され、制御部１１の制御のもと、各種情報を表示するよう機能する。たとえば、表示部３は、制御部１１の制御のもと、操作キー２ａから入力された書込情報等の入力情報あるいは情報読取処理または光学情報読取処理によって読み取られた情報等を表示出力する。また、表示部３は、携帯型情報端末装置１に処理動作または情報通信に関する各種エラーが発生した場合、制御部１１の制御のもと、このエラーを報知する所定のエラー表示を表示出力する。
【００３７】
アンテナ４は、アルミニウム、チタン−ニッケル合金、銅合金、またはステンレス等の金属を用いて実現されるループアンテナであり、ＲＦＩＤ処理部５の制御のもと、所定の交信領域内に存在する外部情報記録媒体との間において、所定の電波を送受信するように機能する。この場合、アンテナ４は、ＲＦＩＤ処理部５から入力された電気信号に対応する所定の電波を出力し、または、外部情報記録媒体から出力された所定の電波を受信するとともに、この受信した所定の電波に対応する電気信号をＲＦＩＤ処理部５に送出する。なお、アンテナ４は、アルミニウム、チタン−ニッケル合金、銅合金、またはステンレス等の金属を打ち抜いた矩形断面を有する板状の導電体を用いて実現してもよいし、円形断面を有する該金属の線材を所定回数曲げて構成された導電体を用いて実現してもよい。
【００３８】
ＲＦＩＤ処理部５は、制御部１１の制御のもと、アンテナ４に電気信号を送出してアンテナ４から所定の電波を出力させるように機能する。この場合、ＲＦＩＤ処理部５は、制御部１１の制御のもと、アンテナ４に送出する電気信号を制御してアンテナ４から所定の電波を出力させ、密着型、近接型、近傍型、または遠隔型等の所望の無線通信を行う。また、ＲＦＩＤ処理部５は、アンテナ４と外部情報記録媒体との間にて送受信される所定の電波を介して、該外部情報記録媒体に対する情報読取処理または情報書込処理を行うように機能する。
【００３９】
たとえば、入力部２から入力された読取指示情報が、制御部１１を介してＲＦＩＤ処理部５に送出された場合、ＲＦＩＤ処理部５は、制御部１１の制御のもと、この読取指示情報に対応する電気信号を必要に応じて変調する。その後、ＲＦＩＤ処理部５は、この電気信号をアンテナ４に送出するとともに、アンテナ４に対して、この電気信号に対応する所定の電波を出力する制御を行う。この場合、アンテナ４は、ＲＦＩＤ処理部５の制御のもと、この電気信号に対応する所定の電波を外部情報記録媒体に送信する。つぎに、アンテナ４は、この読取指示情報の指示に基づき外部情報記録媒体から出力された所定の電波を受信するとともに、受信した所定の電波に対応する電気信号をＲＦＩＤ処理部５に送出する。ここで、この外部情報記録媒体から受信した所定の電波は、この外部情報記録媒体に記録された情報に対応する。したがって、ＲＦＩＤ処理部５は、この外部情報記録媒体に記録された情報に対応する電気信号をアンテナ４から受信する。その後、ＲＦＩＤ処理部５は、このアンテナ４から入力された電気信号を必要に応じて復調し、この外部情報記録媒体に記録された情報として、この電気信号をもとに得られた情報を制御部１１に送出する。これによって、ＲＦＩＤ処理部５は、この外部情報記録媒体に対する情報読取処理を達成する。
【００４０】
一方、入力部２から入力された書込情報および書込指示情報が、制御部１１を介してＲＦＩＤ処理部５に送出された場合、ＲＦＩＤ処理部５は、制御部１１の制御のもと、この書込情報および書込指示情報に対応する電気信号を必要に応じて変調する。その後、ＲＦＩＤ処理部５は、この電気信号をアンテナ４に送出するとともに、アンテナ４に対して、この電気信号に対応する所定の電波を出力する制御を行う。アンテナ４は、ＲＦＩＤ処理部５の制御のもと、この電気信号に対応する所定の電波を外部情報記録媒体に送信する。この場合、この外部情報記録媒体は、アンテナ４との間にて送受信される所定の電波を介して、この書込情報および書込指示情報を受信し、受信した書込指示情報の指示のもと、この書込情報を記録または上書きする。これによって、ＲＦＩＤ処理部５は、外部情報記録媒体に対する情報書込処理を達成する。
【００４１】
光学情報読取部６は、上述したように、投光部６ａ、光学素子６ｂ、駆動部６ｃ、および受光部６ｄを有する。投光部６ａは、赤外光または可視光を出力する半導体レーザ素子または発光ダイオード等の発光素子を用いて実現され、制御部１１の制御のもと、赤外光または可視光を光学素子６ｂに出力する。光学素子６ｂは、レンズおよびミラー等を用いて実現され、駆動部６ｃから伝達される動力によって回動するとともに、投光部６ａが出力した赤外光または可視光を外部に向けて反射出力する。この場合、光学素子６ｂは、投光部６ａが出力した赤外光または可視光を直線状の走査光Ａとして反射出力する。また、光学素子６ｂは、走査光Ａによる外部からの反射光を受光部６ｄに向けて集光する。駆動部６ｃは、アクチュエータを用いて実現され、制御部１１の制御のもと、光学素子６ｂを回動させるように機能する。この場合、駆動部６ｃは、光学素子６ｂから走査光Ａが出力されるように、光学素子６ｂを回動させる。受光部６ｄは、ＣＣＤ、ＣＭＯＳイメージセンサ、フォトトランジスタ、フォトダイオード、またはフォトＩＣ等の受光素子を用いて実現される。受光部６ｄは、受光した光学情報を所定の電気信号に変換する光電変換機能を有し、光学素子６ｂが集光した外部からの反射光を受光するとともに、受光した外部からの反射光に対応する電気信号を制御部１１に出力する。
【００４２】
たとえば、制御部１１が入力部２から光学読取指示情報を受信した場合、投光部６ａは、制御部１１の制御のもと、所定の赤外光または可視光を光学素子６ｂに出力し、これと同時に、駆動部６ｃは、制御部１１の制御のもと、光学素子６ｂを回動させる。この場合、光学素子６ｂは、上述したように、走査光Ａを外部に反射出力する。この走査光Ａが外部の光学情報記録媒体に投光されるとともに該光学情報記録媒体から反射した場合、光学素子６ｂは、この光学情報記録媒体からの反射光を受光部６ｄに向けて集光する。受光部６ｄは、この光学素子６ｂが集光した反射光を受光するとともに、受光した反射光を電気信号に変換し、その後、変換した電気信号を制御部１１に送出する。この場合、受光部６ｄが受光した反射光は、この光学情報記録媒体に記録された情報に対応するので、受光部６ｄは、この光学情報記録媒体に記録された情報として、この反射光を光電変換して得られた電気信号を制御部１１に送出する。これによって、光学情報読取部６は、上述した光学情報読取処理を達成する。
【００４３】
なお、投光部６ａは、赤外光または可視光を出力する発光ダイオードが一列に配列された光源を用いて実現されてもよい。この場合、投光部６ａは、光学素子６ｂを介さず、直接外部に直線状の走査光Ａを出力するので、光学素子６ｂは、上述した走査光Ａを反射出力するために、駆動部６ｃによって回動されなくてもよい。また、投光部６ａが赤外光または可視光を出力するための電源電圧は、携帯型情報端末装置１に配置されたバッテリー（図示せず）から、専用の電源スイッチ（図示せず）または制御部１１を介して供給される。
【００４４】
通信方向指示部７は、上述したように、可視光投光部７ａを有する。可視光投光部７ａは、所定の可視光を出力する半導体レーザ素子または発光ダイオード等の発光素子を用いて実現され、制御部１１の制御のもと、所定の可視光を出力するように機能する。この場合、通信方向指示部７は、携帯型情報端末装置１が行う無線通信の最適通信方向に対して、可視光投光部７ａが出力した可視光に基づく指示光Ｂ１を出力し、これによって、通信方向指示部７は、この最適通信方向を指示する。この指示光Ｂ１は、この最適通信方向を指し示す可視光であるので、使用者は、この指示光Ｂ１を用い、この最適通信方向を視覚的に認知できる。また、可視光投光部７ａが可視光を出力するための電源電圧は、携帯型情報端末装置１に配置されたバッテリー（図示せず）から、専用の電源スイッチ（図示せず）または制御部１１を介して供給されてもよいし、アンテナ４が送受信する所定の電波の電磁誘導によって得られてもよい。
【００４５】
なお、この最適通信方向は、携帯型情報端末装置１による無線通信が最も効率的に行われる通信方向として定義される。たとえば、携帯型情報端末装置１が外部情報記録媒体に対して無線通信を行う場合、すなわち、ＲＦＩＤ処理部５が外部情報記録媒体に対して情報読取処理または情報書込処理を行う場合に、アンテナ４の利得がほぼ最大となる通信方向である。この場合、携帯型情報端末装置１は、この最適通信方向に存在する外部情報記録媒体に対して、効率的に無線通信を行うことができる。
【００４６】
一方、可視光投光部７ａは、相互に異なる色の可視光を出力する複数の半導体レーザ素子または発光ダイオードを用いても実現できる。たとえば、可視光投光部７ａは、相互に異なる色の可視光を出力する各発光ダイオードがそれぞれ単独の光源として配置されてもよいし、赤色の可視光を出力する発光ダイオード、緑色の可視光を出力する発光ダイオード、および青色の可視光を出力する発光ダイオードのうちの少なくとも二つを組み合わせた多色発光ダイオードが配置されてもよい。この場合、可視光投光部７ａは、制御部１１の制御のもと、所望色の可視光を出力するように機能する。すなわち、通信方向指示部７は、上述した最適通信方向に対して、この可視光投光部７ａから出力された所望色の可視光に基づく指示光Ｂ１を出力する。なお、このことは、発光ダイオードに代えて半導体レーザ素子を用いた場合も同様である。
【００４７】
外部通信部８は、ＲＳ２３２Ｃ、ＵＳＢ、またはＩＥＥＥ１３９４等に準拠したシリアル通信インターフェース、ＩＥＥＥ１２８４等に準拠したパラレル通信用インターフェース、あるいはＩｒＤＡ規格に準拠した赤外線通信インターフェース等を用いて実現され、外部のホストコンピュータ（図示せず）またはプリンタ等の周辺機器（図示せず）に対する情報通信を行う。たとえば、外部通信部８は、制御部１１の制御のもと、制御部１１から入力された各種情報を外部のホストコンピュータまたは周辺機器に送出する。また、外部通信部８は、制御部１１の処理動作を制御する各種情報が外部のホストコンピュータ等から入力された場合、この外部のホストコンピュータから入力された情報を制御部１１に送出する。なお、外部通信部８は、外部のホストコンピュータまたは周辺機器の各端子に電気的に接続できる共用端子を用いても実現できる。
【００４８】
ストレージデバイス９は、使用者がストレージデバイス９に着脱自在に挿入した記憶媒体に対し、制御部１１の制御のもと、制御部１１から入力された情報を書き込むように機能する。また、ストレージデバイス９は、制御部１１の制御のもと、この記憶媒体に記憶された情報を読み取るように機能する。なお、このストレージデバイス９に着脱自在に挿入される記憶媒体として、スマートメディア、メモリスティック、マルチメディアカード、またはＳＤメモリカード等の各種記憶媒体が用いられる。
【００４９】
音声入出力部１０は、マイクロフォンおよびスピーカを用いて実現される。音声入出力部１０は、制御部１１の制御のもと、外部からの音声情報を入力するとともに、入力した音声情報を制御部１１に送出する。また、音声入出力部１０は、制御部１１の制御のもと、制御部１１から入力された音声情報を外部に出力する。なお、音声入出力部１０は、制御部１１の制御のもと、各構成部位による処理の開始または完了を報知する所定の報知音を出力してもよいし、携帯型情報端末装置１に処理動作または情報通信に関する各種エラーが発生した場合に、制御部１１の制御のもと、このエラーを報知する所定のエラー音を出力してもよい。この場合、音声入出力部１０は、上述した表示部３によるエラー表示の出力と同期して、このエラー表示に対応するエラー音を出力する。
【００５０】
制御部１１は、記憶部１２に記憶された各種処理プログラムを実行するＣＰＵ（Central Processing Unit）等を用いて実現され、入力部２、表示部３、ＲＦＩＤ処理部５、光学情報読取部６、通信方向指示部７、外部通信部８、ストレージデバイス９、音声入出力部１０、および記憶部１２の各処理または動作を制御する。この場合、制御部１１は、これらの各構成部位に入出力される情報について所定の入出力制御を行い、かつ、この情報に対して所定の情報処理を行う。また、制御部１１は、通信方向指示部７に指示光Ｂ１を出力指示する指示情報（表示指示情報）あるいは上述した読取指示情報または書込指示情報等の外部情報記録媒体との無線通信に関する各種情報が入力された場合、入力された各種情報に応じ、通信方向指示部７に対する指示光Ｂ１の出力制御を行う。この通信方向指示部７に対する指示光Ｂ１の出力制御の詳細については、後述する。
【００５１】
なお、制御部１１は、外部通信部８を介して、ＲＦＩＤ処理部５または光学情報読取部６から入力された情報を外部のホストコンピュータ（図示せず）に送出し、その後、このホストコンピュータによって所定の情報処理がなされた情報を受信してもよい。
【００５２】
記憶部１２は、制御部１１のＣＰＵが実行する各種処理プログラム等のデータが予め記憶されたＲＯＭ（Read Only Memory）と、各処理の演算パラメータ、外部情報記録媒体または光学情報記録媒体から読み取られた各種情報、上述した書込情報、あるいは音声情報等を記憶するＲＡＭ（Random Access Memory）とを用いて実現される。記憶部１２は、制御部１１の制御のもと、制御部１１から入力された各種情報を記憶し、あるいは記憶した各種情報を制御部１１に送出する。
【００５３】
図２は、制御部１１が通信方向指示部７に対して行う指示光Ｂ１の出力制御に関する処理工程を例示するフローチャートである。図３は、携帯型情報端末装置１が、処理対象の外部情報記録媒体Ｔ１に対して無線通信を行う状態を例示する模式図である。図２および図３において、使用者が操作キー２ａまたはトリガキー２ｂを用いて読取指示情報の入力操作を行った場合、制御部１１は、入力部２から読取指示情報を受信する。あるいは、使用者が操作キー２ａおよびトリガキー２ｂを用いて書込情報および書込指示情報の入力操作を行った場合、制御部１１は、入力部２から書込情報および書込指示情報を受信する。つぎに、制御部１１は、受信した読取指示情報または書込指示情報をトリガとし、通信方向指示部７に対して第１の発光色（たとえば赤色）の指示光Ｂ１を所定時間出力するように指示する（ステップＳ１０１）。この場合、可視光投光部７ａは、制御部１１の制御のもと、第１の発光色の可視光を出力する。通信方向指示部７は、この可視光投光部７ａから出力された第１の発光色の可視光に基づく指示光Ｂ１を最適通信方向に所定時間出力する。
【００５４】
ここで、通信方向指示部７が出力した指示光Ｂ１は、上述したように、携帯型情報端末装置１が行う無線通信の最適通信方向を指示する。したがって、使用者は、この指示光Ｂ１が外部情報記録媒体Ｔ１に投光されるように、携帯型情報端末装置１と外部情報記録媒体Ｔ１との相対位置または相対方向を調整すれば、この最適通信方向に外部情報記録媒体Ｔ１を容易に位置させることができる。また、この指示光Ｂ１が呈する第１の発光色は、制御部１１がＲＦＩＤ処理部５に対して情報読取処理または情報書込処理を開始指示する前、すなわち携帯型情報端末装置１が無線通信を開始する前の状態であることを示す。したがって、使用者は、この指示光Ｂ１が第１の発光色を呈することを確認すれば、携帯型情報端末装置１が無線通信を開始する前の状態であることを容易に認知できる。
【００５５】
通信方向指示部７が、制御部１１の制御のもと、第１の発光色を呈する指示光Ｂ１を所定時間出力した場合、制御部１１は、通信方向指示部７に対して第２の発光色（たとえば緑色）を呈する指示光Ｂ１を出力指示する。さらに、制御部１１は、ＲＦＩＤ処理部５に対し、情報読取処理または情報書込処理を開始指示するとともに、外部情報記録媒体Ｔ１との無線通信を開始させる（ステップＳ１０２）。この場合、可視光投光部７ａは、制御部１１の制御のもと、第２の発光色を呈する可視光を出力し、通信方向指示部７は、上述した第１の発光色の指示光Ｂ１に代えて、この第２の発光色の可視光に基づく指示光Ｂ１を最適通信方向に出力する。これと同時に、ＲＦＩＤ処理部５は、上述したように、アンテナ４と外部情報記録媒体Ｔ１との間にて送受信される所定の電波を介して、外部情報記録媒体Ｔ１に対する情報読取処理または情報書込処理を行う。その後、ＲＦＩＤ処理部５は、所定の電波を介して、この情報読取処理または情報書込処理における外部情報記録媒体Ｔ１からの応答情報を受信し、受信した応答情報を制御部１１に送出する。
【００５６】
ここで、この指示光Ｂ１が呈する第２の発光色は、ＲＦＩＤ処理部５が情報読取処理または情報書込処理を行っている状態、すなわち携帯型情報端末装置１と外部情報記録媒体Ｔ１との無線通信が行われている状態（通信処理状態）であることを示す。したがって、使用者は、この指示光Ｂ１が第２の発光色を呈することを確認すれば、携帯型情報端末装置１が通信処理状態であることを容易に認知できる。
【００５７】
つぎに、制御部１１は、ＲＦＩＤ処理部５から応答情報を受信し、受信した応答情報をもとに、この外部情報記録媒体Ｔ１に対する情報読取処理または情報書込処理が成功したか否かを判定する処理（成否判定処理）を行う（ステップＳ１０３）。たとえば、外部情報記録媒体Ｔ１に記録された情報が、この応答情報として制御部１１に入力された場合、制御部１１は、外部情報記録媒体Ｔ１に対する情報読取処理が成功したと判断する。また、外部情報記録媒体Ｔ１に書込情報が無事書き込まれたことを示す情報が、この応答情報として制御部１１に入力された場合、制御部１１は、外部情報記録媒体Ｔ１に対する情報書込処理が成功したと判断する。
【００５８】
制御部１１が外部情報記録媒体Ｔ１に対する情報読取処理または情報書込処理を成功と判断した場合（ステップＳ１０４，Ｙｅｓ）、制御部１１は、通信方向指示部７に対し、情報読取処理または情報書込処理が成功したことを示す第３の発光色（たとえば青色）を呈する指示光Ｂ１を所定時間出力するように指示するとともに、ＲＦＩＤ処理部５に外部情報記録媒体Ｔ１との無線通信を停止させる処理（通信停止処理）を行う（ステップＳ１０５）。この場合、ＲＦＩＤ処理部５は、制御部１１の制御のもと、アンテナ４による所定の電波の出力を停止し、外部情報記録媒体Ｔ１との無線通信を停止する。また、可視光投光部７ａは、制御部１１の制御のもと、第３の発光色を呈する可視光を出力する。通信方向指示部７は、上述した第２の発光色の指示光Ｂ１に代えて、この第３の発光色の可視光に基づく指示光Ｂ１を最適通信方向に所定時間出力し、該所定時間経過後、この指示光Ｂ１の出力を停止する。ただし、この情報読取処理が成功と判断された場合、制御部１１は、この情報読取処理によって読み取られた外部情報記録媒体Ｔ１の情報を表示部３に表示出力させる。
【００５９】
ここで、この指示光Ｂ１が呈する第３の発光色は、上述したように、ＲＦＩＤ処理部５が情報読取処理または情報書込情報に成功したことを示す。したがって、使用者は、この指示光Ｂ１が第３の発光色を呈することを確認すれば、携帯型情報端末装置１が外部情報記録媒体Ｔ１に記録された情報を無事に読み取ったことを容易に認知でき、あるいは、携帯型情報端末装置１が外部情報記録媒体Ｔ１に書込情報を無事に書き込んだことを容易に認知できる。なお、携帯型情報端末装置１が外部情報記録媒体Ｔ１に記録された情報を読み取った場合、使用者は、表示部３に表示出力された情報を見れば、この外部情報記録媒体Ｔ１に記録された情報を知ることができる。
【００６０】
一方、外部情報記録媒体Ｔ１に記録された情報または情報書込処理による外部情報記録媒体Ｔ１からの応答情報が所定時間内に制御部１１に入力されなかった場合、あるいは情報読取処理または情報書込処理にエラーが発生したことを示す情報が、上述した応答情報として制御部１１に入力された場合、制御部１１は、この外部情報記録媒体Ｔ１に対する情報読取処理または情報書込処理が失敗したと判断する。制御部１１が外部情報記録媒体Ｔ１に対する情報読取処理または情報書込処理を失敗と判断した場合（ステップＳ１０４，Ｎｏ）、制御部１１は、通信方向指示部７に対し、情報読取処理または情報書込処理が失敗したことを示す第４の発光色（たとえば黄色）を呈する指示光Ｂ１を所定時間出力するように指示するとともに、ＲＦＩＤ処理部５に外部情報記録媒体Ｔ１との無線通信を終了させる処理（通信エラー処理）を行う（ステップＳ１０６）。この場合、ＲＦＩＤ処理部５は、制御部１１の制御のもと、アンテナ４による所定の電波の出力を停止し、外部情報記録媒体Ｔ１との無線通信を終了させる。また、可視光投光部７ａは、制御部１１の制御のもと、第４の発光色を呈する可視光を出力する。通信方向指示部７は、上述した第２の発光色を呈する指示光Ｂ１に代えて、この第４の発光色を呈する指示光Ｂ１を最適通信方向に所定時間出力し、該所定時間経過後、この指示光Ｂ１の出力を停止する。
【００６１】
ここで、この指示光Ｂ１が呈する第４の発光色は、上述したように、ＲＦＩＤ処理部５が情報読取処理または情報書込処理に失敗したことを示す。したがって、使用者は、この指示光Ｂ１が第４の発光色を呈することを確認すれば、携帯型情報端末装置１が外部情報記録媒体Ｔ１に対する情報読取処理または情報書込処理に失敗したことを容易に認知できる。
【００６２】
なお、制御部１１は、通信方向指示部７に対し、上述した第３の発光色または第４の発光色を呈する指示光Ｂ１を無線通信停止まで出力するように指示してもよく、この場合、通信方向指示部７は、制御部１１の制御のもと、第２の発光色を呈する指示光Ｂ１に代えて第３の発光色または第４の発光色を呈する指示光Ｂ１を最適通信方向に出力し、ＲＦＩＤ処理部５が外部情報記録媒体Ｔ１との無線通信を停止すると同時に、この指示光Ｂ１の出力を停止する。
【００６３】
一方、制御部１１は、入力部２から入力された表示指示情報をトリガとして、通信方向指示部７に対し、上述した指示光Ｂ１の出力制御を行ってもよい。たとえば、使用者が操作キー２ａを用いて表示指示情報の入力操作を行った場合、制御部１１は、入力部２から表示指示情報を受信し、受信した表示指示情報をトリガとして、通信方向指示部７に対し、上述した第１の発光色の指示光Ｂ１を出力指示する。可視光投光部７ａは、制御部１１の制御のもと、第１の発光色を呈する可視光を出力し、通信方向指示部７は、この第１の発光色の可視光に基づく指示光Ｂ１を最適通信方向に出力する。この場合、制御部１１は、通信方向指示部７に対し、上述した第１の発光色の指示光Ｂ１を所定時間出力するように指示してもよいし、情報読取処理または情報書込処理が開始されるまで出力するように指示してもよい。
【００６４】
つぎに、使用者が、上述したように、読取指示情報の入力操作または書込情報および書込指示情報の入力操作を行った場合、制御部１１は、入力部２から読取指示情報または書込情報と書込指示情報とを受信する。この場合、制御部１１は、上述したステップＳ１０２と同様に、ＲＦＩＤ処理部５に対して情報読取処理または情報書込処理を開始指示するとともに、この受信した読取指示情報または書込指示情報をトリガとし、通信方向指示部７に対して上述した第２の発光色の指示光Ｂ１を出力指示する。可視光投光部７ａは、制御部１１の制御のもと、第２の発光色を呈する可視光を出力し、通信方向指示部７は、この第１の発光色を呈する指示光Ｂ１に代えて、この第２の発光色の可視光に基づく指示光Ｂ１を最適通信方向に出力する。その後、制御部１１は、上述したステップＳ１０２以降の各処理工程と同様に、通信方向指示部７に対する指示光Ｂ１の出力制御を行う。
【００６５】
他方、制御部１１は、上述した表示指示情報、読取指示情報、または書込指示情報が入力された場合に、光学情報読取部６に対して、上述した通信方向指示部７の場合と同様の指示光の出力制御を行うこともできる。図４は、光学情報読取部６から出力された走査光Ａが最適通信方向を指示する場合に、携帯型情報端末装置１が外部情報記録媒体Ｔ１に対して無線通信を行う状態を例示する模式図である。たとえば、制御部１１は、入力部２から読取指示情報、書込指示情報、または表示指示情報が入力された場合、入力された表示指示情報、読取指示情報、または書込指示情報をトリガとし、上述したステップＳ１０１〜Ｓ１０６による通信方向指示部７への出力制御とほぼ同様に、光学情報読取部６に走査光Ａを出力させる。この走査光Ａは、指示光Ｂ１の場合と同様に、上述した最適通信方向を指示する指示光として出力される。この場合、光学情報読取部６は、上述した光学情報記録媒体の情報を光学的に読み取る機能と、通信方向指示部７と同様の最適通信方向を指示する機能とを有する。したがって、使用者は、図４に示すように、この走査光Ａが外部情報記録媒体Ｔ１に投光されるように携帯型情報端末装置１と外部情報記録媒体Ｔ１との相対位置または相対方向を調整すれば、この最適通信方向に外部情報記録媒体Ｔ１を容易に位置させることができる。なお、光学情報読取部６が最適通信方向を指示するように機能する場合、通信方向指示部７は、携帯型情報端末装置１に配置されなくてもよい。
【００６６】
また、光学情報読取部６から出力される走査光Ａが最適通信方向を指示する場合、投光部６ａは、制御部１１の制御のもと、走査光Ａを直接外部に出力してもよいし、光学素子６ｂを介して外部に出力してもよい。この場合、駆動部６ｃは、光学素子６ｂを回動させなくてもよい。また、投光部６ａが、可視光投光部７ａと同様に、相互に異なる色の可視光を出力する複数の半導体レーザ素子または発光ダイオードを用いて実現された場合、制御部１１は、上述したステップＳ１０１〜Ｓ１０６と同様に、光学情報読取部６に対して、異なる発光色の走査光Ａを出力するように制御できる。これによって、光学情報読取部６は、通信方向指示部７の場合と同様に、携帯型情報端末装置１の通信状態あるいは情報読取処理または情報書込処理の処理過程に応じ、異なる色の走査光Ａを出力できる。
【００６７】
なお、この実施の形態１では、最適通信方向を指示する指示光または走査光が、携帯型情報端末装置１の通信状態あるいは情報読取処理または情報書込処理の処理過程に応じ、それぞれ異なる発光色を呈する場合を説明したが、この発明は、これに限定されるものではなく、携帯型情報端末装置１の通信状態あるいは情報読取処理または情報書込処理の処理過程に対応する各報知音を音声入出力部１０から出力させてもよいし、携帯型情報端末装置１の通信状態あるいは情報読取処理または情報書込処理の処理過程に対応する各情報を表示部３に出力させてもよい。この場合、使用者は、この情報表示または報知音をもとに、携帯型情報端末装置１の通信状態あるいは情報読取処理または情報書込処理の処理過程を認知できるので、通信方向指示部７または光学情報読取部６は、所定の発光色の指示光または走査光を出力すればよい。また、通信方向指示部７または光学情報読取部６は、携帯型情報端末装置１の通信状態あるいは情報読取処理または情報書込処理の処理過程に応じ、それぞれ異なる点灯パターンの指示光または走査光を出力してもよいし、異なる点灯パターンと異なる発光色を組み合わせた指示光または走査光を出力してもよい。
【００６８】
また、この実施の形態１では、制御部１１が表示指示情報、読取指示情報、または書込指示情報をトリガとして指示光または走査光の出力制御を行う場合を説明したが、この発明は、これに限定されるものではなく、使用者が、指示光または走査光の出力を停止するキー操作を行って、所望のタイミングで指示光または走査光の出力を停止できるようにしてもよいし、指示光または走査光を出力する専用の電源スイッチをオフに切り換える操作を行って、所望のタイミングで指示光または走査光の出力を停止できるようにしてもよい。
【００６９】
さらに、この実施の形態１では、使用者は、制御部１１に読取指示情報、書込指示情報、または光学読取指示情報を入力する場合に、トリガキー２ｂ，２ｃのキー操作によって入力情報を選択していたが、この発明は、これに限定されるものではなく、使用者は、操作キー２ａのキー操作によって、読取指示情報、書込指示情報、または光学読取指示情報を選択入力してもよいし、操作キー２ａのキー操作とトリガキー２ｂ，２ｃのキー操作との組み合わせによって選択入力してもよい。また、使用者は、操作キー２ａまたはトリガキー２ｂ，２ｃのキー操作によって、読取指示情報または書込指示情報と光学読取指示情報とを同時入力してもよい。この場合、制御部１１は、光学情報読取部６に走査光を出力させるとともに、アンテナ４が所定の電波を送受信するようにＲＦＩＤ処理部５を制御してもよいし、光学情報読取部６に走査光を先に出力させ、光学情報読取部６が所定時間内に光学情報記録媒体の情報を光学的に読み取れなかった場合に、アンテナ４が所定の電波を送受信するようにＲＦＩＤ処理部５を制御してもよい。たとえば、光学情報読取部６が所定時間内に光学情報記録媒体の情報を光学的に読み取った場合、制御部１１は、光学情報読取部６からこの情報を受信するとともに、ＲＦＩＤ処理部５に対して所定の電波の送受信を停止する制御を行う。一方、光学情報読取部６が所定時間内に光学情報記録媒体の情報を光学的に読み取れなかった場合、制御部１１は、光学情報読取部６に対して走査光を停止する制御を行うとともに、ＲＦＩＤ処理部５に対して情報読取処理または情報書込処理を開始指示する。
【００７０】
また、この実施の形態１では、通信方向指示部７の指示光または光学情報読取部６の走査光が、アンテナ４に送受信される所定の電波を介した無線通信の最適通信方向を指示する場合を説明したが、この発明はこれに限定されるものではなく、この指示光または走査光は、携帯型情報端末装置１が行う赤外線通信等の各種無線通信の最適通信方向を指示してもよい。この場合、携帯型情報端末装置１に複数の通信方向指示部を設け、各通信方向指示部が各無線通信の最適通信方向をそれぞれ表示してもよい。ただし、携帯型情報端末装置１が赤外線通信等の無線通信を行う場合、この無線通信の最適通信方向は、この無線通信が最も効率的に行われる通信方向になる。
【００７１】
さらに、この実施の形態１では、最適通信方向を指示する指示光は、外部情報記録媒体等に投光された場合に点状のポイント光を呈したが、この発明は、これに限定されるものではなく、この指示光は、十字状、星状、または多角形等の各種形状のポイント光を呈してもよい。
【００７２】
以上に説明したように、この実施の形態１では、当該携帯型情報端末装置が行う無線通信の最適通信方向に可視光を出力するように構成しているので、この最適通信方向を視覚的に表示することができ、これによって、携帯性を損なうことなく、使用者がこの最適通信方向を容易に認知できる携帯型情報端末装置を実現することができる。さらに、この可視光は、当該携帯型情報端末装置の無線通信状態あるいは当該携帯型情報端末装置が行う情報読取処理または情報書込処理の処理過程に応じ、異なる発光色または点灯パターンを呈するようにしているので、この最適通信方向とともに、この無線通信状態あるいは情報読取処理または情報書込処理の処理過程を視覚的に表示できる携帯型情報端末装置を容易に実現することができる。
【００７３】
この携帯型情報端末装置を用いた場合、使用者は、この可視光が処理対象の外部情報記録媒体に投光されるように、この外部情報記録媒体と当該携帯型情報端末装置との相対位置または相対方向を調整すれば、この外部情報記録媒体を上述した最適通信方向に容易に位置させることができる。これによって、この携帯型情報端末装置は、この外部情報記録媒体に対する情報読取処理または情報書込処理を効率的に行えるようになる。
【００７４】
さらに、使用者は、この可視光の発光色または点灯パターン等の態様を確認すれば、この携帯型情報端末装置の無線通信状態あるいは情報読取処理または情報書込処理の処理過程を容易に把握することができる。この場合、使用者は、この無線通信または各処理が終了する前に、この携帯型情報端末装置が情報読取処理または情報書込処理を行っているか否かを確実に把握することができ、これによって、この携帯型情報端末装置を用いた無線通信に関する作業の作業効率が向上するとともに該作業に対する安心感が増す。
【００７５】
（実施の形態２）
つぎに、この発明の実施の形態２について詳細に説明する。上述した実施の形態１では、通信方向指示部７から出力された指示光が外部情報記録媒体との無線通信の最適通信方向のみを表示していたが、この実施の形態２では、この無線通信の最適通信方向を指示するとともに該無線通信の最大通信距離に対応する指示光を出力するようにしている。
【００７６】
図５は、この発明の実施の形態２である携帯型情報端末装置の概略構成を例示するブロック図である。この携帯型情報端末装置２０は、通信方向指示部７に代えて通信方向指示部２１が設けられる。その他の構成は実施の形態１と同じであり、同一構成部分には同一符号を付している。
【００７７】
通信方向指示部２１は、可視光投光部７ａとＤＯＥ（Diffractive Optical Element）２１ａとを有する。ＤＯＥ２１ａは、入力された光に対し、光の回折効果による光分岐、光合成、または各種投光パターンの形成等を行う公知の回折光学素子を用いて実現され、可視光投光部７ａが出力した可視光を回折して、所定投光パターンの可視光を形成出力するように機能する。したがって、可視光投光部７ａが、制御部１１の制御のもと、所定の可視光を出力した場合、ＤＯＥ２１ａは、この所定の可視光に基づく所定投光パターンの可視光を形成出力する。また、可視光投光部７ａが、上述した実施の形態１の場合と同様に、携帯型情報端末装置２０の無線通信状態あるいは情報読取処理または情報書込処理の処理過程に応じた発光色または点灯パターンの可視光を出力した場合、ＤＯＥ２１ａは、この可視光投光部７ａが出力した可視光に基づく所定投光パターンの可視光を形成出力する。この場合、携帯型情報端末装置２０が上述した実施の形態１の作用効果を享受するとともに、通信方向指示部２１は、携帯型情報端末装置２０が行う無線通信の最適通信方向に、ＤＯＥ２１ａが形成出力した所定投光パターンの可視光に基づく指示光Ｂ２を出力する。この可視光である指示光Ｂ２は、ＤＯＥ２１ａが形成出力した可視光の所定投光パターンに対して相似な投光パターンを呈する。
【００７８】
なお、ＤＯＥ２１ａは、通信方向指示部２１に交換可能に配置されてもよく、この場合、処理対象の外部情報記録媒体に応じてＤＯＥ２１ａを交換すれば、通信方向指示部２１ａは、処理対象の外部情報記録媒体に応じた所望の投光パターンを有する指示光を出力できる。
【００７９】
図６は、通信方向指示部２１が携帯型情報端末装置２０の最適通信方向に指示光Ｂ２を出力した状態を例示する模式図である。図６に示すように、指示光Ｂ２は、矩形を示す投光パターン、たとえば矩形の各角隅付近をそれぞれ示す４つのＬ字状の投光パターンを有する。この場合、指示光Ｂ２の投光パターンは、携帯型情報端末装置２０から指示光Ｂ２が投光された位置までの距離（投光距離）に応じ、拡大または縮小する。具体的には、指示光Ｂ２の投光パターンは、この投光距離が大きくなるにしたがい拡大し、この投光距離が小さくなるにしたがい縮小する。
【００８０】
ここで、この投光距離が携帯型情報端末装置２０と外部情報記録媒体との無線通信における最大通信距離とほぼ同等である場合に、この外部情報記録媒体の外形に合う投光パターンの指示光Ｂ２が出力されるように、ＤＯＥ２１ａが設定されれば、通信方向指示部２１は、この最大通信距離内に存在する最適通信方向の外部情報記録媒体に対し、該外部情報記録媒体の外形に合う投光パターンまたは該投光パターンの縮小パターンを表示する。すなわち、この投光パターンは、この無線通信における最大通信距離に対応する。
【００８１】
図７は、通信方向指示部２１が携帯型情報端末装置２０の最適通信方向に存在する外部情報記録媒体Ｔ２に指示光Ｂ２を出力した状態を例示する模式図である。図７において、外部情報記録媒体Ｔ２は、携帯型情報端末装置２０の最適通信方向について投光距離Ｌの位置に存在する。投光距離Ｌが携帯型情報端末装置２０と外部情報記録媒体Ｔ２との無線通信における最大通信距離とほぼ同等である場合、指示光Ｂ２は、外部情報記録媒体Ｔ２上に投光されるとともに、外部情報記録媒体Ｔ２の外形に合う投光パターンを表示する。また、この指示光Ｂ２の投光パターンは、上述したように、投光距離Ｌが小さくなるにしたがい縮小するので、指示光Ｂ２は、投光距離Ｌがこの最大通信距離未満である場合に、外部情報記録媒体Ｔ２上に縮小された投光パターンを表示する。一方、投光距離Ｌがこの最大通信距離を超える場合、指示光Ｂ２は、外部情報記録媒体Ｔ２上に外部情報記録媒体Ｔ２の外形に合う投光パターンおよび該投光パターンの縮小パターンを表示しない。このことは、この指示光Ｂ２の投光パターンが、上述したように、投光距離Ｌが大きくなるにしたがい拡大するためである。すなわち、使用者は、指示光Ｂ２による投光パターンが外部情報記録媒体Ｔ２に表示されるように、携帯型情報端末装置２０と外部情報記録媒体Ｔ２との相対位置または相対方向を調整すれば、この最適通信方向であって、この最大通信距離内に外部情報記録媒体Ｔ２を容易に位置させることができる。
【００８２】
なお、この実施の形態２では、可視光投光部７ａから出力された可視光を回折して所定投光パターンの可視光を形成出力するＤＯＥ２１ａが配置され、ＤＯＥ２１ａが形成出力した所定投光パターンの可視光に基づく指示光を最適通信方向に出力していたが、この発明は、これに限定されるものではなく、ＤＯＥ２１ａに代えてパターン投影部を配置し、該パターン投影部が可視光投光部７ａから出力された可視光を透過または反射して、矩形を示すパターンを投影してもよい。この場合、このパターン投影部は、このパターンが形成された光透過性ある各種フィルム、樹脂板、またはガラス板等と光学素子とを用いて実現され、上述したＤＯＥ２１ａの場合とほぼ同形状のパターンを投影する。したがって、このパターン投影部は、投光距離Ｌが上述した最大通信距離以下である場合に、このパターンと可視光とを外部情報記録媒体Ｔ２上に表示することができる。さらに、このパターン投影部は、通信方向指示部２１に交換可能に配置されてもよく、これによって、通信方向指示部２１ａは、処理対象の外部情報記録媒体に応じ、所望パターンを投影することができる。
【００８３】
また、この実施の形態２では、ＤＯＥ２１ａによって形成される投光パターンが、矩形を示すパターンである場合を例示したが、この発明はこれに限定されるものではなく、この投光パターンは、上述した最大通信距離の位置に存在する外部情報記録媒体の外形に合うパターンであれば、枠状パターン、十字または×字を含む各種交差状パターン、あるいは円状または楕円状パターンを有するパターンであってもよいし、この外部情報記録媒体の外形そのものであってもよい。
【００８４】
さらに、この実施の形態２では、通信方向指示部２１が上述した最大通信距離に対応する投光パターンの指示光を出力していたが、この発明はこれに限定されるものではなく、光学情報読取部６が上述した最大通信距離に対応する投光パターンの指示光を出力するように構成してもよい。この場合、光学情報読取部６は、上述した光学情報記録媒体の情報を光学的に読み取る機能と、通信方向指示部２１と同様の機能とを有することができるので、通信方向指示部２１は、携帯型情報端末装置２０に配置されなくてもよい。
【００８５】
以上に説明したように、この実施の形態２では、上述した実施の形態１の構成に加え、当該携帯型情報端末装置が行う無線通信の最適通信方向に、該無線通信の最大通信距離に位置する外部情報記録媒体の外形に合う所定パターンの可視光を出力し、該可視光の投光距離が該最大通信距離以下である場合に、この外部情報記録媒体に対して、該外部情報記録媒体の外形に合う所定パターンまたは該所定パターンの縮小パターンが表示されるように構成したので、この最適通信方向を視覚的に表示できるとともに、この最大通信距離内に処理対象の外部情報記録媒体が存在するか否かを視覚的に表示でき、上述した実施の形態１の作用効果を享受するとともに、使用者がこの最大通信距離内に処理対象の外部情報記録媒体を容易に位置させることができる携帯型情報端末装置を実現できる。
【００８６】
（実施の形態３）
つぎに、この発明の実施の形態３について詳細に説明する。上述した実施の形態１では、通信方向指示部７が出力した指示光によって、外部情報記録媒体との無線通信の最適通信方向を指示していたが、この実施の形態３では、この最適通信方向について撮像し、これによって得られた最適通信方向の画像を表示出力するようにしている。
【００８７】
図８は、この発明の実施の形態３である携帯型情報端末装置の概略構成を例示するブロック図である。この携帯型情報端末装置３０は、光学情報読取部６に代えて撮像部３１が配置され、通信方向指示部７に代えて測距部３２が配置され、制御部１１に代えて制御部３３が配置される。その他の構成は実施の形態１と同じであり、同一構成部分には同一符号を付している。
【００８８】
撮像部３１は、撮像素子３１ａ、撮像光学素子３１ｂ、および画像処理部３１ｃを有し、制御部３３の制御のもと、携帯型情報端末装置３０が行う無線通信の最適通信方向側の各種画像を撮像するように機能する。撮像素子３１ａおよび画像処理部３１ｃは、制御部３１と電気的に接続される。また、撮像素子３１ａは、画像処理部３１ｃと電気的に接続され、撮像光学素子３１ｂが結像した光学情報を受光する。
【００８９】
撮像素子３１ａは、ＣＣＤ（Charge Coupled Device）またはＣＭＯＳメージセンサ等の光電変換を行う受光素子を用いて実現される。撮像光学素子３１ｂは、レンズ等の光学素子を用いて実現され、外部から入力された光学情報を撮像素子３１ａに向けて結像する。この場合、撮像光学素子３１ｂは、携帯型情報端末装置３０が行う無線通信の最適通信方向側から入力された光学情報を結像する。撮像素子３１ａは、制御部３３の制御のもと、撮像光学素子３１ｂによって結像された光学情報を所定時間受光し、受光した光学情報を電気信号に光電変換する。すなわち、撮像素子３１ａおよび撮像光学素子３１ｂは、この最適通信方向側から入力された光学情報を電気信号に光電変換するように配置される。画像処理部３１ｃは、撮像素子３１ａが出力した電気信号を受信し、受信した電気信号をもとに画像情報を作成するように機能する。この場合、画像処理部３１ｃは、この最適通信方向側から入力された光学情報に基づく電気信号を受信し、受信した電気信号をもとに、この光学情報に対応する画像情報を作成する。その後、画像処理部３１ｃは、作成した画像情報を制御部３３に送出する。
【００９０】
測距部３２は、可視光、赤外光、または近赤外光を出力する半導体レーザ素子または発光ダイオード等の発光素子と、該発光素子の出力光による外部からの反射光を受光するＣＣＤまたはＰＳＤ（Position Sensitive Detector）等の受光素子と、該受光素子が受光した反射光の位置情報をもとに対象物までの距離を演算出力する所定の信号処理回路等を用いて実現される。測距部３２は、制御部３３と電気的に接続され、制御部３３の制御のもと、上述した最適通信方向に存在する外部情報記録媒体または該外部情報記録媒体を有する対象物と携帯型情報端末装置３０との距離を測定するように機能する。この場合、測距部３２は、撮像部３１が撮像した外部情報記録媒体または撮像部３１が撮像した対象物と携帯型情報端末装置３０との距離を測定する。その後、測距部３２は、測定した距離を距離情報として制御部３３に送出する。なお、この外部情報記録媒体が、撮像部３１によって撮像された対象物に配置された場合、この外部情報記録媒体から携帯型情報端末装置３０までの距離と、この対象物から携帯型情報端末装置３０までの距離とは、ほぼ同等と考えてもよい。
【００９１】
制御部３３は、上述した制御部１１とほぼ同様の構成と機能とを有し、さらに光学情報処理部３３ａと画像演算部３３ｂとを有する。制御部３３は、画像処理部３１ｃから受信した画像情報を逐次表示部３に表示出力させる。光学情報処理部３３ａは、制御部３３が画像処理部３１ｃから受信した画像情報を用い、該画像情報が光学情報記録媒体の画像であるか否かを判定する。さらに、光学情報処理部３３ａは、この画像情報が光学情報記録媒体であると判定した場合、この画像情報をもとに、この光学情報記録媒体に記録された情報を解読する。その後、制御部３３は、光学情報処理部３３ａが解読した情報を表示部３に表示出力させる。画像演算部３３ｂは、制御部３３が測距部３２から受信した距離情報と撮像光学素子３１ｂの焦点情報とを用いて得られる情報をもとに、携帯型情報端末装置３０が上述した最適通信方向への無線通信を行える範囲（最適通信範囲）を示す所定パターンのポインタを生成する。この場合、制御部３３は、画像演算部３３ｂが生成した所定パターンのポインタと上述した画像情報とを重畳的に表示部３に表示出力させる。
【００９２】
なお、撮像光学素子３１ｂの焦点情報は、予め記憶部１２に記憶されてもよい。この場合、制御部３３は、画像演算部３３ｂがこの所定パターンのポインタを生成する場合に、この焦点情報を記憶部１２から読み取る。また、撮像光学素子３１ｂの焦点情報は、制御部３３が撮像部３１から読み取ってもよい。この場合、撮像部３１が撮像光学素子３１ｂの焦点距離を段階的または連続的に変更する焦点距離変更部（図示せず）を備えれば、制御部３３は、画像演算部３３ｂがこの所定パターンのポインタを生成する場合に、この変更された焦点距離に応じた焦点情報を読み取ることができる。
【００９３】
図９は、制御部３３が、画像演算部３３ｂによって生成された所定パターンのポインタと、画像処理部３１ｃから受信した画像情報とを重畳的に表示部３に表示出力させるまでの処理工程を例示するフローチャートである。図９において、使用者が、入力部２のキー操作を行い、撮像部３１に対して撮像開始を指示する撮像開始情報を上述した光学読取指示情報に代えて入力した場合、制御部３３は、この撮像開始情報を入力部２から受信する（ステップＳ２０１）。つぎに、制御部３３は、受信した撮像開始情報に基づき、撮像部３１に対し、上述した最適通信方向側から逐次入力されるリアルタイムの光学情報をもとに該最適通信方向側のリアルタイムの画像（リアル画像）を逐次撮像するように指示し（ステップＳ２０２）、これと同時に、表示部３に対し、逐次撮像されたリアル画像を表示出力するように制御する（ステップＳ２０３）。その後、制御部３３は、測距指示情報または撮像指示情報の入力受付を待機する（ステップＳ２０４）。この入力受付を待機する状態（待機状態）において、制御部３３は、測距指示情報および撮像指示情報のいずれも受信していない場合（ステップＳ２０５，Ｎｏ）、このステップＳ２０４以降の処理工程を繰り返す。また、この待機状態において、使用者が入力部２を用いてリアル画像の撮像を中止するキー操作を行った場合、制御部３３は、撮像部３１にリアル画像の撮像を中止させるとともに、表示部３にリアル画像の表示出力を中止させる。
【００９４】
なお、この測距指示情報は、測距部３２に対して上述した距離の測定を開始指示する情報である。また、この撮像指示情報は、撮像部３１に対して最適通信方向側の静止画または所定時間の動画を撮像する処理（撮像処理）を開始指示する情報である。
【００９５】
制御部３３が待機状態である場合、表示部３は、上述したステップＳ２０３による最適通信方向側のリアル画像を表示出力して、この最適通信方向を使用者に示す。この場合、使用者は、処理対象の外部情報記録媒体または該外部情報記録媒体を有する対象物（以下、これらを被処理物と記す）が表示部３に表示出力されるように、該被処理物と携帯型情報端末装置３０との相対位置または相対方向を調整すれば、該被処理物を最適通信方向側に容易に位置させることができる。
【００９６】
その後、使用者が、入力部２を用いて撮像指示情報または測距指示情報の入力操作を行った場合、制御部３３は、入力部２から撮像指示情報または測距指示情報を受信する（ステップＳ２０５，Ｙｅｓ）。この入力操作によって、制御部３３が撮像指示情報を受信した場合（ステップＳ２０６，撮像指示情報）、制御部３３は、受信した撮像指示情報に基づき、撮像部３１に上述した撮像処理を行うように指示する（ステップＳ２０７）。この場合、撮像素子３１ａは、上述したように、制御部３３の制御のもと、撮像光学素子３１ｂが結像した光学情報を所定時間受光し、つぎに、この受光した光学情報を光電変換して得られた電気信号を画像処理部３１ｃに送出する。その後、画像処理部３１ｃは、上述したように、撮像素子３１ａから受信した電気信号をもとに、この光学情報に対応する画像情報を制御部３３に送出する。
【００９７】
ここで、制御部３３が画像処理部３１ｃから画像情報を受信した場合、光学情報処理部３３ａは、上述したように、画像処理３１ｃから入力された画像情報が光学情報記録媒体の画像であるか否かを判定する。この画像情報が光学情報記録媒体と判定された場合、光学情報処理部３３ａは、この画像情報をもとに、この光学情報記録媒体に記録された情報を解読する。これによって、制御部３３は、上述した光学情報読取処理を達成する。その後、制御部３３は、この画像情報または光学情報処理部３３ａが解読した情報を表示部３に表示出力させる。使用者は、この表示部３に表示出力された情報を確認すれば、この光学情報記録媒体の情報を得ることができる。また、この画像情報が光学情報記録媒体ではないと判定された場合、制御部３３は、入力部２から入力された撮像指示情報に基づき、この画像情報による静止画または所定時間の動画を表示部３に表示出力させる。
【００９８】
一方、この入力操作によって、制御部３３が測距指示情報を受信した場合（ステップＳ２０６，測距指示情報）、制御部３３は、受信した測距指示情報に基づき、測距部３２に対して上述した距離を測定するように指示する（ステップＳ２０８）。この場合、測距部３２は、上述したように、制御部３３の制御のもと、この最適通信方向側に存在する被処理物と携帯型情報端末装置３０との距離を測定する。すなわち、測距部３２は表示部３に表示出力されている被処理物と携帯型情報端末装置３０との距離を測定する。その後、測距部３２は、得られた測定結果に対応する距離情報を制御部３３に送出する。
【００９９】
なお、制御部３３は、この測距指示情報に代えて上述した読取指示情報または書込指示情報を受信した場合に、受信した読取指示情報または書込指示情報をトリガとして測距部３２に上述した距離を測定するように指示してもよいし、この測距指示情報に代えて後述するポインタを生成する指示情報を受信した場合に、この受信した指示情報をトリガとして測距部３２に上述した距離を測定するように指示してもよい。
【０１００】
つぎに、制御部３３は、測距部３２から距離情報を受信するとともに、記憶部１２または撮像部３１から撮像光学素子３１ｂの焦点情報を読み取る。画像演算部３３ｂは、制御部３３が受信した距離情報と焦点情報とを用いて得られる情報をもとに、上述した最適通信範囲を示す所定パターンのポインタを生成する。この場合、画像演算部３３ｂが生成した所定パターンのポインタは、表示部３に表示出力されている被処理物との無線通信の最適通信範囲を示す。その後、制御部３３は、撮像部３１から受信したリアル画像の画像情報と画像演算部３３ｂが生成した所定パターンのポインタとを表示部３に重畳的に表示出力させる（ステップＳ２０９）。その後、使用者が、入力部２を用いて、このリアル画像またはこのポインタの表示出力を中止するキー操作を行った場合、制御部３３は、表示部３３に、このリアル画像またはこのポインタの表示出力を中止させる。
【０１０１】
制御部３３がステップＳ２０９の処理工程を行った場合、表示部３は、このリアル画像と所定パターンのポインタとを重畳的に表示出力し、上述した最適通信範囲を使用者に示す。図１０は、処理対象の外部情報記録媒体を有する対象物Ｔ３が被処理物の一例として携帯型情報端末装置３０の最適通信方向側に位置する場合に、表示部３が、対象物Ｔ３との無線通信の最適通信範囲を示すパターンのポインタＰと対象物Ｔ３のリアル画像とを重畳的に表示出力した状態を例示する模式図である。図１０に示すように、ポインタＰは、鉤状の部分ポインタＰ１〜Ｐ４を有し、部分ポインタＰ１〜Ｐ４を頂点とする矩形に対応する範囲（ポインタ範囲）が最適通信範囲を示すパターンを呈する。この場合、ポインタＰのポインタ範囲は、対象物Ｔ３との無線通信の最適通信範囲を示す。
【０１０２】
なお、撮像部３１が上述した焦点距離変更部（図示せず）を有する場合、制御部３３は、この焦点距離変更部が変更した焦点距離に関する焦点情報を逐次読み取ってもよい。この場合、画像演算部３３ｂは、制御部３３によって逐次読み取られた焦点情報と上述した距離情報とを用いて得られる情報をもとに、この所定パターンのポインタを逐次生成してもよく、制御部３３は、画像演算部３３ｂが逐次生成したポインタを用いて、表示部３に表示出力されているポインタを更新してもよい。
【０１０３】
ここで、使用者は、対象物Ｔ３のリアルタイムの画像Ｔ３ａが表示部３に表示出力されるように、対象物Ｔ３と携帯型情報端末装置３０との相対位置または相対方向を調整すれば、上述した最適通信方向側に対象物Ｔ３を容易に位置させることができる。さらに、表示部３が、画像Ｔ３ａを含むリアル画像とポインタＰとを重畳的に表示出力した場合、使用者は、図１０に示すように、このポインタＰのポインタ範囲内に画像Ｔ３ａを移動させれば、上述した最適通信方向に対象物Ｔ３を短時間で確実に位置させることができる。この場合、使用者は、表示部３に表示出力されたリアル画像を用いて、携帯型情報端末装置３０と被処理物との相対位置または相対方向を調整するので、携帯型情報端末装置３０は、戸外または照明下に存在する被処理物を上述した最適通信方向に位置させる場合に特に有効である。
【０１０４】
その後、使用者が入力部２を用いて読取指示情報または書込指示情報の入力操作を行った場合、制御部３３は、上述したステップＳ１０２〜Ｓ１０６とほぼ同様に、被処理物たとえば対象物Ｔ３の外部情報記録媒体に対する情報読取処理または情報書込処理の制御を行う。この場合、制御部３３は、上述した実施の形態１，２の指示光に代えて、携帯型情報端末装置３０の無線通信状態あるいは情報読取処理または情報書込処理の処理過程に応じた各種メッセージ等を表示部３に表示出力させることができる。これによって、使用者は、この表示部３に表示出力された各種メッセージを確認すれば、上述した実施の形態１，２の場合と同様に、携帯型情報端末装置３０の無線通信状態あるいは情報読取処理または情報書込処理の処理過程を容易に把握することができる。すなわち、使用者は、この無線通信または各処理が終了する前に、携帯型情報端末装置３０が情報読取処理または情報書込処理を行っているか否かを確実に把握することができ、これによって、携帯型情報端末装置３０を用いた無線通信に関する作業の作業効率が向上するとともに該作業に対する安心感が増す。
【０１０５】
また、所望の発光色または点灯パターンの可視光を出力する半導体レーザ素子または発光ダイオード等の光源（図示せず）が携帯型情報端末装置３０に設けられた場合、制御部３３は、この光源に対して上述した実施の形態１，２の通信方向指示部の場合と同様の可視光出力制御を行って、この無線通信状態またはこの処理過程に応じた発光色または点灯パターンの可視光を出力させてもよい。さらに、制御部３３は、音声入出力部１０に対する報知音の出力制御を行って、携帯型情報端末装置３０の通信状態あるいは情報読取処理または情報書込処理の処理過程に対応する各報知音を音声入出力部１０から出力させてもよい。
【０１０６】
なお、画像演算部３３ｂは、上述した最適通信範囲を示す所定パターンのポインタに代えて、携帯型情報端末装置３０が行う無線通信の最大通信距離に対応する所定パターンのポインタを生成してもよい。この場合、画像演算部３３ｂは、上述した距離情報と焦点情報とを用いて得られる情報と、撮像部３１が撮像する画像の倍率に関する情報、すなわち撮像光学素子３１ｂの倍率情報とを用いて、この最大通信距離に対応する所定パターンのポインタを生成する。この倍率情報は、上述した焦点情報の場合と同様に、記憶部１２または撮像部３１から制御部３３に入力される。画像演算部３３ｂがこの最大通信距離に対応する所定パターンのポインタを生成した場合、制御部３３は、上述したステップＳ２０９とほぼ同様に、この最大通信距離に対応する所定パターンのポインタと上述したリアル画像の画像情報とを表示部３に重畳的に表示出力させる。
【０１０７】
ここで、被処理物の一例である対象物Ｔ３が携帯型情報端末装置３０の最適通信方向側に位置する場合、表示部３は、対象物Ｔ３の画像Ｔ３ａを含むリアル画像と、対象物Ｔ３の外部情報記録媒体と携帯型情報端末装置３０との無線通信における最大通信距離に対応する所定パターンのポインタとを重畳的に表示出力する。図１１は、使用者が、この所定パターンのポインタと画像Ｔ３ａとを用いて、対象物Ｔ３と携帯型情報端末装置３０との距離を最大通信距離に調整する動作を説明する図である。図１１に示すように、表示部３には、画像Ｔ３ａとポインタＰとが表示出力されている。このポインタＰは、この最大通信距離に対応する所定パターンを呈するポインタであり、鉤状の部分ポインタＰ５〜Ｐ８によって構成される。この場合、部分ポインタＰ５〜Ｐ８は、この所定パターンとして、画像Ｔ３ａの外形にほぼ合う矩形に対応するパターンを形成する。ただし、この部分ポインタＰ５〜Ｐ８によるパターンは、携帯型情報端末装置３０と対象物Ｔ３との距離がこの最大通信距離とほぼ同等である場合に、この対象物Ｔ３の画像Ｔ３ａの外形にほぼ合う。
【０１０８】
使用者は、表示部３に画像Ｔ３ａが表示出力されていることを確認しながら、携帯型情報端末装置３０を対象物Ｔ３に近づける。この場合、画像Ｔ３ａは、携帯型情報端末装置３０と対象物Ｔ３との距離が近くなるにしたがい拡大し、その後、画像Ｔ３ａの外形が、図１１に示すように、部分ポインタＰ５〜Ｐ８による矩形パターンにほぼ合う。この矩形パターンは、上述したように、携帯型情報端末装置３０と対象物Ｔ３との距離がこの最大通信距離とほぼ同等である場合に該対象物Ｔ３の画像Ｔ３ａの外形にほぼ合うので、この矩形パターンが画像Ｔ３ａの外形にほぼ合う場合、使用者は、携帯型情報端末装置３０の最適通信方向に対象物Ｔ３を位置させるとともに、携帯型情報端末装置３０と対象物Ｔ３との距離をこの最大通信距離に調整できる。その後、使用者が携帯型情報端末装置３０を対象物Ｔ３にさらに近づけた場合、画像Ｔ３ａは、部分ポインタＰ５〜Ｐ８による矩形パターンを内側に含むように拡大する。すなわち、使用者は、部分ポインタＰ５〜Ｐ８と画像Ｔ３ａとが重畳するように、携帯型情報端末装置３０と対象物Ｔ３との相対位置または相対方向を調整すれば、この最適通信方向かつこの最大通信距離内に対象物Ｔ３を容易に位置させることができる。
【０１０９】
なお、この実施の形態３では、表示部３に表示出力されたポインタＰの最適通信範囲内に、一つの被処理物の画像を位置させた場合を例示したが、この発明はこれに限定されるものではなく、この最適通信範囲内に、複数の被処理物の画像を同時に位置させてもよい。この場合、使用者は、携帯型情報端末装置３０の最適通信方向に、これら複数の被処理物を同時に位置させることができ、さらに、携帯型情報端末装置３０は、この最適通信方向に存在する複数の被処理物の各外部情報記録媒体に対して、同時にまたは所定の順序で情報読取処理または情報書込処理を行うことができる。
【０１１０】
また、この実施の形態３では、撮像部３１が携帯型情報端末装置３０の最適通信方向を撮像し、表示部３が撮像部３１による最適通信方向の画像を表示出力する場合を例示したが、この発明はこれに限定されるものではなく、上述した実施の形態１，２の通信方向指示部と撮像部３１とがともに配置されてもよい。この場合、この通信方向指示部と撮像部３１との切換は、使用者による入力部２の操作によって行われてもよいし、明暗等の環境状態を検知するセンサを設け、該センサが検知した環境状態に応じて自動的に行われてもよい。
【０１１１】
さらに、この実施の形態３では、アンテナ４に送受信される所定の電波を介した無線通信の最適通信方向の画像を表示出力する場合を例示したが、この発明はこれに限定されるものではなく、携帯型情報端末装置３０が行う赤外線通信等の各種無線通信の最適通信方向の画像を表示出力してもよい。この場合、撮像部３１を回動させる駆動部が設けられ、携帯型情報端末装置３０が行う各無線通信の最適通信方向をそれぞれ撮像するように、撮像部３１を回動させてもよい。
【０１１２】
また、この実施の形態３では、上述した最適通信範囲または最大通信距離に対応するポインタのパターンが矩形に対応する場合を例示したが、この発明はこれに限定されるものではなく、このポインタが呈するパターンは、上述した最適通信範囲または最大通信距離に対応する枠状パターン、十字または×字を含む各種交差状パターン、あるいは円状または楕円状パターンを有するパターンであってもよいし、被処理物の外形そのものであってもよい。
【０１１３】
さらに、この実施の形態３では、各種情報を表示出力する表示部３が携帯型情報端末装置３０の最適通信方向の画像を表示出力する場合を例示したが、この発明はこれに限定されるものではなく、表示部３とは別に、この最適通信方向の画像を表示出力する専用の表示部を設けてもよい。この場合、この専用の表示部が、この最適通信方向のリアル画像とポインタとを重畳的に表示出力するので、この最適通信方向への被処理物の相対位置調整を行うと同時に、表示部３に各種情報を表示出力でき、作業効率が向上する。
【０１１４】
以上に説明したように、この実施の形態３では、当該携帯型情報端末装置が行う無線通信の最適通信方向側の撮像を行って、該最適通信方向の画像を表示出力するように構成しているので、この最適通信方向を視覚的に表示することができ、これによって、携帯性を損なうことなく、使用者がこの最適通信方向を容易に認知できる携帯型情報端末装置を実現することができる。この携帯型情報端末装置を用いた場合、使用者は、被処理物の画像が表示出力されるように、この被処理物と当該携帯型情報端末装置との相対位置または相対方向を調整すれば、この被処理物を上述した最適通信方向に容易に位置させることができる。これによって、この携帯型情報端末装置は、この被処理物に対する情報読取処理または情報書込処理を効率的に行うことができる。
【０１１５】
また、上述した最適通信範囲を示す所定パターンのポインタと、この最適通信方向の画像とを重畳的に表示出力するように構成しているので、この最適通信方向の範囲を視覚的に表示することができ、複数の被処理物に対する最適通信方向を容易に表示出力できる。この場合、使用者は、これら複数の被処理物の画像をこのポインタによる範囲内に表示出力させれば、これら複数の被処理物を一括して最適通信方向に位置させることができる。
【０１１６】
さらに、この最適通信範囲を示す所定パターンのポインタに代えて、この無線通信の最大通信距離に位置する被処理物の画像の外形に合う所定パターンのポインタを重畳的に表示出力した場合、この最適通信方向を視覚的に表示できるとともに、この最大通信距離内に被処理物が存在するか否かを視覚的に表示できる。この場合、使用者は、このポインタと被処理物の画像とを重畳的に表示出力させれば、この最適通信方向における最大通信距離内に、この被処理物を容易に位置させることができる。
【０１１７】
（実施の形態４）
つぎに、この発明の実施の形態４について詳細に説明する。上述した実施の形態１では、通信方向指示部７が出力した指示光によって、外部情報記録媒体との無線通信の最適通信方向を指示していたが、この実施の形態４では、この最適通信方向への無線通信が行える最適通信範囲の像を表示出力するようにしている。
【０１１８】
図１２は、この発明の実施の形態４である携帯型情報端末装置の概略構成を示す模式図である。この携帯型情報端末装置４０は、通信方向指示部７に代えてファインダ４１が設けられている。ファインダ４１は、携帯型情報端末装置４０の筐体に着脱可能に設けられる。この場合、ファインダ４１は、使用者による携帯型情報端末装置４０の把持、入力部２のキー操作、あるいは表示部３から出力された画像の確認等を物理的に阻害しない箇所、たとえば、携帯型情報端末装置４０の筐体先端付近に設けられる。その他の構成は実施の形態１と同じであり、同一構成部分には同一符号を付している。
【０１１９】
図１３は、ファインダ４１の概略構成を例示する模式図である。図１３において、ファインダ４１は、枠体４１ａと通信範囲表示部４１ｂとを有する。枠体４１ａは、通信範囲表示部４１ｂが嵌入され、携帯型情報端末装置４０の筐体に着脱可能に取り付けられる。通信範囲表示部４１ｂは、レンズまたはプリズム等の光学素子あるいは該光学素子が積層された光学素子群を用いて実現される。通信範囲表示部４１ｂは、鉤状のマークＱ１〜Ｑ４が矩形の各頂点を示すように形成され、枠体４１ａが携帯型情報端末装置４０の所定箇所に設けられた場合に、携帯型情報端末装置４０が行う無線通信の最適通信範囲の光学的な像（光学像）を表示する。
【０１２０】
ここで、外部情報記録媒体が配置された対象物Ｔ４，Ｔ５が、図１２に示したように、携帯型情報端末装置４０の最適通信範囲に位置する場合、この携帯型情報端末装置４０の所定箇所に設けられたファインダ４１は、図１３に示したように、マークＱ１〜Ｑ４によって囲まれた範囲内に、対象物Ｔ４，Ｔ５の各光学像Ｔ４ａ，Ｔ５ａを表示する。すなわち、使用者は、ファインダ４１に表示された光学像Ｔ４ａ，Ｔ５ａがマークＱ１〜Ｑ４に囲まれた範囲内に位置するように、対象物Ｔ４，Ｔ５と携帯型情報端末装置４０との相対位置または相対方向を調整すれば、携帯型情報端末装置４０の最適通信範囲内に対象物Ｔ４，Ｔ５を容易に位置させることができる。この場合、携帯型情報端末装置４０は、上述した指示光または走査光を出力しなくとも、または最適通信方向側の画像を表示出力しなくとも、この最適通信範囲を視覚的に表示できるので、最適通信範囲の視覚的表示における低消費電力化を実現できる。
【０１２１】
その後、使用者が入力部２を用いて読取指示情報または書込指示情報の入力操作を行った場合、携帯型情報端末装置４０は、上述した実施の形態１の場合とほぼ同様に、対象物Ｔ４，Ｔ５の各外部情報記録媒体に対して、同時にまたは所定の順序で情報読取処理または情報書込処理を行う。
【０１２２】
なお、この実施の形態４では、ファインダ４１が携帯型情報端末装置４０の筐体に着脱可能に設けられた場合を例示したが、この発明はこれに限定されるものではなく、ファインダ４１は、携帯型情報端末装置４０の筐体に摺動可能に設けられ、該筐体内または該筐体外壁に収納されてもよいし、携帯型情報端末装置４０の筐体に回転可能に設けられ、該筐体内または該筐体外壁に向けて回転されるとともに該筐体内または該筐体外壁に収納されてもよい。
【０１２３】
また、この実施の形態４では、ファインダ４１の通信範囲表示部が円形である場合を例示したが、この発明はこれに限定されるものではなく、楕円、矩形、または多角形等の各種形状の通信範囲表示部を有するファインダであってもよい。
【０１２４】
さらに、この実施の形態４では、通信範囲表示部４１ｂのマークによって囲まれた矩形範囲内に最適通信範囲を対応させた場合を例示したが、この発明はこれに限定されるものではなく、このマークによって囲まれた円または楕円の範囲内に最適通信範囲を対応させてもよいし、このマークを設けずに、通信範囲表示部４１ｂによって表示される全範囲を最適通信範囲に対応させてもよい。
【０１２５】
また、この実施の形態４では、鉤状のマークが通信範囲表示部４１ｂに形成された場合を例示したが、この発明はこれに限定されるものではなく、通信範囲表示部４１ｂには、上述した最適通信範囲に対応する枠状パターン、十字または×字を含む各種交差状パターン、あるいは円状または楕円状パターンを有するパターン等が形成されてもよい。
【０１２６】
さらに、この実施の形態４では、ファインダ４１が示す最適通信範囲内に二つの被処理物の光学像を位置させた場合を例示したが、この発明はこれに限定されるものではなく、この最適通信範囲内に、一つの被処理物の光学像を位置させてもよいし、３つ以上の被処理物の光学像を同時に位置させてもよい。
【０１２７】
以上に説明したように、この実施の形態４では、当該携帯型情報端末装置の最適通信範囲の光学像を表示するファインダを設けたので、当該携帯型情報端末装置の最適通信方向の範囲を低消費電力で視覚的に表示することができ、これによって、この最適通信方向の範囲の視覚的表示における低消費電力化を促進するとともに、携帯性を損なうことなく、使用者がこの最適通信方向を容易に認知できる携帯型情報端末装置を容易に実現することができる。この携帯型情報端末装置を用いた場合、使用者は、一つまたは複数の被処理物の光学像がこのファインダ内に表示されるように、この一つまたは複数の被処理物と当該携帯型情報端末装置との相対位置または相対方向を調整すれば、この一つまたは複数の被処理物を上述した最適通信範囲内に容易に位置させることができる。これによって、この携帯型情報端末装置は、この一つまたは複数の被処理物に対する情報読取処理または情報書込処理を効率的に行うことができる。
【０１２８】
また、このファインダ内のマークによって囲まれた範囲が、この最適通信範囲に対応するように構成しているので、この最適通信方向の範囲を明確に表示することができ、使用者は、一つまたは複数の被処理物の光学像をこのマークによる範囲内に表示させれば、この一つまたは複数の被処理物を確実に最適通信方向に位置させることができる。
【０１２９】
（実施の形態５）
つぎに、この発明の実施の形態５について詳細に説明する。上述した実施の形態１では、一つの通信方向指示部が最適通信方向として一つの方向を指示していたが、この実施の形態５では、一つの通信方向指示部が最適通信方向として複数の方向をそれぞれ表示するようにしている。
【０１３０】
図１４は、この発明の実施の形態５である携帯型情報端末装置の概略構成を示すブロック図である。この携帯型情報端末装置５０は、無線通信手段であるアンテナ４と通信方向指示部７とを同時に駆動する駆動部５１がさらに設けられる。駆動部５１は、制御部１１に電気的に接続され、制御部１１に制御される。その他の構成は実施の形態１と同じであり、同一構成部分には同一符号を付している。
【０１３１】
駆動部５１は、アクチュエータを用いて実現され、制御部１１の制御のもと、アンテナ４と通信方向指示部７とを回動するように機能する。この場合、駆動部５１は、アンテナ４における最適通信方向と、通信方向指示部７が指示光Ｂ１を出力して表示する方向とを同一方向に維持するとともに、アンテナ４と通信方向指示部７とを回動する。これによって、通信方向指示部７は、このアンテナ４における最適通信方向とほぼ同一方向に指示光Ｂ１を出力でき、この最適通信方向を視覚的に表示することができる。なお、このアンテナ４における最適通信方向は、アンテナ４が送受信する所定の電波を介して行われる無線通信の最適通信方向、すなわち携帯型情報端末装置５０が行う無線通信の最適通信方向である。
【０１３２】
図１５は、通信方向指示部７から出力された指示光Ｂ１が、アンテナ４における最適通信方向として複数の方向をそれぞれ示す場合の携帯型情報端末装置５０の動作を説明する模式図である。図１５において、携帯型情報端末装置５０の筐体先端には、駆動部５１の駆動によって回転する駆動筐体５２が配置される。駆動筐体５２は、その内部にアンテナ４と通信方向指示部７とが配置され、回転軸５２ａを中心に回転する。この場合、アンテナ４と通信方向指示部７とは、アンテナ４における最適通信方向と通信方向指示部７が表示する方向とを同一方向に維持するように、駆動筐体５２内に配置される。
【０１３３】
ここで、使用者が、入力部２を用いて、駆動筐体５２を所定方向に回動する指示情報（回動指示情報）の入力操作を行った場合、制御部１１は、この回動指示情報を受信する。その後、制御部１１は、受信した回動指示情報に基づき、駆動部５１の駆動制御を行う。この場合、駆動部５１は、制御部１１の制御のもと、アンテナ４と通信方向指示部７とが配置された駆動筐体５２を所定方向に回動する。これによって、アンテナ４は、使用者が携帯型情報端末装置５０の位置または方向を固定した状態において、図１５に示すように、複数の最適通信方向、たとえば最適通信方向Ｄ１または最適通信方向Ｄ２に所定の電波をそれぞれ送受信することができる。これに伴い、通信方向指示部７は、アンテナ４が所定の電波を送受信する各最適通信方向について指示光Ｂ１をそれぞれ出力し、携帯型情報端末装置５０が行う無線通信の複数の最適通信方向（たとえば最適通信方向Ｄ１，Ｄ２）をそれぞれ視覚的に表示する。
【０１３４】
なお、駆動部５１は、制御部１１の制御のもと、携帯型情報端末装置５０と処理対象の外部情報記録媒体との相対方向とアンテナ４における最適通信方向とがほぼ同方向になるように駆動筐体５２を回動してもよい。すなわち、制御部１１は、入力部２から入力された回動指示情報あるいは上述した読取指示情報または書込指示情報をトリガとし、アンテナ４が送受信する所定の電波または通信方向指示部７が出力する指示光Ｂ１の反射光を用いて携帯型情報端末装置５０と処理対象の外部情報記録媒体との相対方向を検知するとともに、検知した相対方向とアンテナ４における最適通信方向とがほぼ同方向になるように駆動部５１の駆動制御を行ってもよい。
【０１３５】
一方、携帯型情報端末装置５０が複数の無線通信用アンテナを有する場合、通信方向指示部７は、各アンテナにおける最適通信方向をそれぞれ視覚的に表示するように回動されてもよい。図１６は、この実施の形態５の変形例である携帯型情報端末装置の概略構成を例示するブロック図である。この携帯型情報端末装置５５は、通信方向指示部７を回動させる駆動部５６がさらに設けられる。また、無線通信用のアンテナ５７とＲＦＩＤ処理部５８とがさらに設けられる。駆動部５５は、上述した駆動部５１と同様に制御部１１に電気的に接続され、制御部１１に制御される。アンテナ５７は、上述したアンテナ４と同様の機能および構成を有し、ＲＦＩＤ処理部５８に制御される。ＲＦＩＤ処理部５８は、上述したＲＦＩＤ処理部５と同様の機能および構成を有し、制御部１１に制御される。ただし、アンテナ４，５７は、アンテナ４における最適通信方向とアンテナ５７における最適通信方向とが異方向になるように配置される。その他の構成は実施の形態１と同じであり、同一構成部分には同一符号を付している。
【０１３６】
駆動部５６は、アクチュエータを用いて実現され、制御部１１の制御のもと、通信方向指示部７を回動するように機能する。この場合、駆動部５５は、アンテナ４における最適通信方向またはアンテナ５７における最適通信方向と、通信方向指示部７が指示光Ｂ１を出力して表示する方向とを同一方向にするように、通信方向指示部７または通信方向指示部が配置された駆動筐体５２を回動する。なお、この駆動筐体５２には、アンテナ４が配置されていない。
【０１３７】
ここで、制御部１１が、入力部２から入力された回動指示情報、読取指示情報、または書込指示情報をトリガとして、駆動部５６の駆動制御を行った場合、駆動部５６は、指示光Ｂ１が処理対象の外部情報記録媒体との無線通信の最適通信方向に出力されるように、通信方向指示部７または通信方向指示部７が配置された駆動筐体５２を回動する。たとえば、携帯型情報端末装置５５が、アンテナ４によって送受信される所定の電波を介して、処理対象の外部情報記録媒体との無線通信を行う場合、駆動部５６は、制御部１１の制御のもと、指示光Ｂ１がアンテナ４における最適通信方向に出力されるように、通信方向指示部７または通信方向指示部７が配置された駆動筐体５２を回動する。また、携帯型情報端末装置５５が、アンテナ５７によって送受信される所定の電波を介して、処理対象の外部情報記録媒体との無線通信を行う場合、駆動部５６は、制御部１１の制御のもと、指示光Ｂ１がアンテナ５７における最適通信方向に出力されるように、通信方向指示部７または通信方向指示部７が配置された駆動筐体５２を回動する。すなわち、通信方向指示部７は、アンテナ４と処理対象の外部情報記録媒体との間にて所定の電波が送受信される場合にアンテナ４における最適通信方向に指示光Ｂ１を出力し、アンテナ５７と処理対象の外部情報記録媒体との間にて所定の電波が送受信される場合にアンテナ５７における最適通信方向に指示光Ｂ１を出力する。これによって、通信方向指示部７は、携帯型情報端末装置５５に配置された複数の無線用アンテナのうち、処理対象の外部情報記録媒体との無線通信に用いられるアンテナにおける最適通信方向を視覚的に表示することができる。
【０１３８】
なお、この実施の形態５では、アンテナ４と通信方向指示部７とが配置された駆動筐体５２を回動して、アンテナ４と通信方向指示部７とをともに同方向に回動した場合を例示したが、この発明はこれに限定されるものではなく、アンテナ４と通信方向指示部７とを個別に回動させてもよい。この場合、駆動部５１は、アンテナ４と通信方向指示部７とを同時に回動してもよいし、アンテナ４の回動に連動して通信方向指示部７を回動してもよいし、通信方向指示部７の回動に連動してアンテナ４を回動してもよい。
【０１３９】
また、この発明の実施の形態５およびその変形例では、処理対象の外部情報記録媒体との無線通信の最適通信方向を指示する手段として通信方向指示部７を回動した場合を例示したが、この発明はこれに限定されるものではなく、この最適通信方向の表示手段として光学情報読取部６を回動してもよい。
【０１４０】
さらに、この発明の実施の形態５およびその変形例では、無線通信用のアンテナにおける最適通信方向を指示するように通信方向指示部７を回動した場合を例示したが、この発明はこれに限定されるものではなく、当該携帯型情報端末装置が行う赤外線通信等の各種無線通信の最適通信方向を指示するように光学情報読取部６または通信方向指示部７を回動してもよい。
【０１４１】
また、この発明の実施の形態５およびその変形例では、通信方向指示部７を回動して、通信方向指示部７が表示する方向と無線通信用のアンテナにおける最適通信方向とを同一方向にした場合を例示したが、この発明はこれに限定されるものではなく、無線通信用のアンテナまたは該アンテナが配置された駆動筐体を回動して、通信方向指示部７が表示する方向と無線通信用のアンテナにおける最適通信方向とを同一方向にしてもよい。このことは、通信方向指示部７に代えて光学情報読取部６が最適通信方向を指示する場合も同様である。
【０１４２】
さらに、この発明の実施の形態５の変形例では、相互に異なる最適通信方向を有する二つの無線通信用アンテナが配置された場合を例示したが、この発明はこれに限定されるものではなく、相互に異なる最適通信方向を有する三つ以上の無線通信用アンテナが配置された場合に適用してもよい。
【０１４３】
以上に説明したように、この実施の形態５では、上述した実施の形態１の構成に加え、当該携帯型情報端末装置の最適通信方向を相対的に変更した場合に、この最適通信方向の変更に伴って、最適通信方向を指示する可視光の出力方向を変更するように構成したので、上述した実施の形態１の作用効果を享受するとともに、変更された最適通信方向に向けて、この可視光を確実に出力することができ、この変更された最適通信方向を視覚的に表示できる携帯型情報端末装置を実現することができる。
【０１４４】
また、この実施の形態５の変形例では、上述した実施の形態１の構成に加え、相互に異なる複数の最適通信方向のうちの一方向に無線通信を行う場合に、この無線通信が行われる一つの最適通信方向に可視光を出力するように、該可視光の出力方向を変更しているので、複数の最適通信方向のうち、処理対象の外部情報記録媒体に対して行われる無線通信の最適通信方向に向けて、この可視光を確実に出力することができ、上述した実施の形態１の作用効果を享受するとともに、複数の最適通信方向のうちから、この無線通信の最適通信方向を視覚的に表示できる携帯型情報端末装置を実現することができる。
【０１４５】
（実施の形態６）
つぎに、この発明の実施の形態６について詳細に説明する。上述した実施の形態１では、通信方向指示部７が出力した指示光によって、外部情報記録媒体との無線通信の最適通信方向を指示していたが、この実施の形態６では、この指示光によって最適通信方向が表示される前に、方向標示を用いて、この最適通信方向を予め示すようにしている。
【０１４６】
図１７は、この発明の実施の形態６である携帯型情報端末装置の概略構成を例示する模式図である。この携帯型情報端末装置６０は、携帯型情報端末装置１の筐体に代えて筐体６１が配置される。筐体６１の所定箇所には、方向標示６２が形成される。その他の構成は実施の形態１と同じであり、同一構成部分には同一符号を付している。
【０１４７】
方向標示６２は、矢印形状を呈し、図１７に示すように、筐体６１の所定箇所、たとえば携帯型情報端末装置６０の先端近傍に設けられる。この場合、方向標示６２は、筐体６１の成形加工とともに形成されてもよいし、方向標示６２が形成されたフィルムまたは板状の樹脂または金属等を筐体６１に付してもよいし、筐体６１に直接印刷または記載されてもよい。
【０１４８】
なお、方向標示６２は、使用者が確認し易く、かつ使用者による携帯型情報端末装置６０の把持、入力部２のキー操作、あるいは表示部３から出力された画像の確認等を物理的に阻害しない箇所に設けられればよく、たとえば、表示部３近傍の筐体縁部または操作キー２ａの近傍等に設けられればよい。
【０１４９】
ここで、携帯型情報端末装置６０が図１７に例示する対象物Ｔ４，Ｔ５の外部情報記録媒体に対して情報書込処理または情報読取処理を行う場合、使用者は、方向標示６２が示す方向に対象物Ｔ４，Ｔ５が存在するように対象物Ｔ４，Ｔ５と携帯型情報端末装置６０との相対位置または相対方向を調整すれば、対象物Ｔ４，Ｔ５を携帯型情報端末装置６０の最適通信方向とほぼ同方向に位置させることができる。その後、使用者は、上述した実施の形態１の場合と同様に、通信方向指示部７によって出力された指示光を用いれば、対象物Ｔ４，Ｔ５を携帯型情報端末装置６０の最適通信方向に短時間で正確に位置させることができる。すなわち、使用者は、通信方向指示部７が上述した指示光を出力する前に、方向標示６２にしたがって対象物Ｔ４，Ｔ５と携帯型情報端末装置６０との相対位置または相対方向を調整すれば、この指示光の出力時間を短縮できるとともに、対象物Ｔ４，Ｔ５を携帯型情報端末装置６０の最適通信方向に容易に位置させることができる。このことは、対象物Ｔ４，Ｔ５を携帯型情報端末装置６０の最適通信方向に位置させる作業時間を短縮化するとともに、この指示光の出力における低消費電力化を促進する。
【０１５０】
なお、この実施の形態６では、方向標示６２が矢印形状を呈する場合を示したが、この発明はこれに限定されるものではなく、方向標示６２は、所定方向を明確に示す形状であればよく、三角、矩形、直線、または楕円等の各種形状を呈してもよいし、これらの形状を組み合わせたものを呈してもよい。
【０１５１】
また、この実施の形態６では、一つの方向標示が筐体に設けられた場合を例示したが、この発明はこれに限定されるものではなく、複数の方向標示を筐体に設け、該複数の方向標示が当該携帯型情報端末装置の各最適通信方向をそれぞれ示してもよい。
【０１５２】
さらに、この発明の実施の形態６では、方向標示６２が処理対象の外部情報記録媒体との無線通信の最適通信方向を示した場合を例示したが、この発明はこれに限定されるものではなく、方向標示６２は、当該携帯型情報端末装置が行う赤外線通信等の各種無線通信の最適通信方向を示してもよい。
【０１５３】
また、この発明の実施の形態６では、上述した指示光によって最適通信方向が視覚的に表示される携帯型情報端末装置に方向標示が設けられた場合を例示したが、この発明はこれに限定されるものではなく、この方向標示は、上述した所定パターンの指示光または走査光によって最適通信方向を視覚的に表示する各種携帯型情報端末装置に設けられてもよいし、上述した最適通信方向側の画像を表示出力する携帯型情報端末装置に設けられてもよいし、上述した最適通信方向側の光学像をファインダに表示する携帯型情報端末装置に設けられてもよい。
【０１５４】
さらに、この発明の実施の形態６では、筐体に設けられた方向標示が示す方向に処理対象の外部情報記録媒体を位置させ、その後、上述した指示光が指示する方向に該外部情報記録媒体を位置させた場合を例示したが、この発明はこれに限定されるものではなく、この方向標示が示す方向に処理対象の外部情報記録媒体を位置させることによって、該外部情報記録媒体をこの最適通信方向に位置させることもできる。
【０１５５】
以上に説明したように、この実施の形態６では、上述した実施の形態１の構成に加え、当該携帯型情報端末装置が行う無線通信の最適通信方向を視覚的に示した方向標示が筐体に設けられているので、上述した実施の形態１の作用効果を享受するとともに、上述した可視光または表示出力された画像によって最適通信方向が視覚的に表示される前に該最適通信方向を概ね把握することができ、これによって、使用者がこの最適通信方向を認知するまでの時間およびこの可視光または画像の出力時間を短縮でき、低消費電力化を促進するとともに、使用者がこの最適通信方向を容易に認知できる携帯型情報端末装置を実現することができる。
【図面の簡単な説明】
【０１５６】
【図１】この発明の実施の形態１である携帯型情報端末装置の概略構成を例示するブロック図である。
【図２】指示光の出力制御に関する処理工程を例示するフローチャートである。
【図３】指示光が示す外部情報記録媒体に対して無線通信を行う状態を例示する模式図である。
【図４】走査光が示す外部情報記録媒体に対して無線通信を行う状態を例示する模式図である。
【図５】この発明の実施の形態２である携帯型情報端末装置の概略構成を例示するブロック図である。
【図６】最適通信方向に所定パターンの指示光を出力した状態を例示する模式図である。
【図７】最適通信方向に存在する外部情報記録媒体に所定パターンの指示光を出力した状態を例示する模式図である。
【図８】この発明の実施の形態３である携帯型情報端末装置の概略構成を例示するブロック図である。
【図９】所定パターンのポインタと画像情報とを重畳的に表示出力させるまでの処理工程を例示するフローチャートである。
【図１０】最適通信方向側に位置する対象物のリアル画像と所定パターンのポインタとを重畳的に表示出力した状態を例示する模式図である。
【図１１】使用者が対象物と携帯型情報端末装置との距離を最大通信距離に調整する動作を説明する図である。
【図１２】この発明の実施の形態４である携帯型情報端末装置の概略構成を示す模式図である。
【図１３】ファインダの概略構成を例示する模式図である。
【図１４】この発明の実施の形態５である携帯型情報端末装置の概略構成を示すブロック図である。
【図１５】最適通信方向として複数の方向をそれぞれ示す場合の携帯型情報端末装置の動作を説明する模式図である。
【図１６】この発明の実施の形態５の変形例である携帯型情報端末装置の概略構成を例示するブロック図である。
【図１７】この発明の実施の形態６である携帯型情報端末装置の概略構成を例示する模式図である。
【符号の説明】
【０１５７】
１，２０，３０，４０，５０，５５，６０  携帯型情報端末装置
２  入力部
２ａ  操作キー
２ｂ，２ｃ  トリガキー
３  表示部
４，５７  アンテナ
５，５８  ＲＦＩＤ処理部
６  光学情報読取部
６ａ  投光部
６ｂ  光学素子
６ｃ，５１，５６  駆動部
６ｄ  受光部
７，２１  通信方向指示部
７ａ  可視光投光部
８  外部通信部
９  ストレージデバイス
１０  音声入出力部
１１，３３  制御部
１２  記憶部
２１ａ  ＤＯＥ
３１  撮像部
３１ａ  撮像素子
３１ｂ  撮像光学素子
３１ｃ  画像処理部
３２  測距部
３３ａ  光学情報処理部
３３ｂ  画像演算部
４１  ファインダ
４１ａ  枠体
４１ｂ  通信範囲表示部
５２  駆動筐体
５２ａ  回転軸
６１  筐体
６２  方向標示
Ａ  走査光
Ｂ１，Ｂ２  指示光
Ｌ  投光距離
Ｐ  ポインタ
Ｐ１〜Ｐ８  部分ポインタ
Ｑ１〜Ｑ４  マーク
Ｔ１，Ｔ２  外部情報記録媒体
Ｔ３〜Ｔ５  対象物
Ｔ３ａ〜Ｔ５ａ  画像
【図１】
2005202492.tif 000003
【図２】
2005202492.tif 000004
【図３】
2005202492.tif 000005
【図４】
2005202492.tif 000006
【図５】
2005202492.tif 000007
【図６】
2005202492.tif 000008
【図７】
2005202492.tif 000009
【図８】
2005202492.tif 000010
【図９】
2005202492.tif 000011
【図１０】
2005202492.tif 000012
【図１１】
2005202492.tif 000013
【図１２】
2005202492.tif 000014
【図１３】
2005202492.tif 000015
【図１４】
2005202492.tif 000016
【図１５】
2005202492.tif 000017
【図１６】
2005202492.tif 000018
【図１７】
2005202492.tif 000019